(57)【要約】【課題】強調したい部分の文字を強調させた状態で着色材料の節約を行うのに好適な印刷装置、印刷装置制御プログラム及び印刷装置制御方法、並びに印刷用データ生成装置、印刷用データ生成プログラム及び印刷用データ生成方法を提供する。【解決手段】印刷対象データが文書データであるか否かを解析すると共に、文書データの構成内容を解析するデータ解析部１２と、データ解析部１２の解析結果及び濃度変更情報記憶部１６に記憶された濃度変更情報に基づき、着色材料の使用量が通常印刷時よりも節約され且つ文書中の強調文字が読み難くならないように文書データを加工する文書データ加工部１４と、加工後の文書データに基づき印刷用データを生成する印刷用データ生成部２０と、印刷用データに基づき印刷を実行する印刷部２２とを含んだ構成となっている。【選択図】図１
2007301857.tif 000002
【特許請求の範囲】
【請求項１】
文書データの示す文書を印刷するときに使用する着色材料の使用量を制御して、当該着
色材料の使用量を節約することができる印刷装置であって、
前記文書中の文字のうち、使用頻度の最も高い文字色の文字が通常の印刷濃度よりも低
い印刷濃度で印刷されるように、前記使用頻度の最も高い文字色の文字データの濃度情報
を変更する濃度情報変更手段と、
前記使用頻度の高さが二番目以降の文字色の文字の少なくとも一部が強調されて印刷さ
れるように、前記文書データにおける前記一部の文字データに対して強調化処理を施す強
調化処理手段と、
前記濃度情報変更手段で濃度情報が変更され、且つ前記強調化処理手段で強調化処理の
施された文書データに基づき印刷用データを生成する印刷用データ生成手段と、
前記印刷用データに基づき印刷を実行する印刷手段と、を備えることを特徴とする印刷
装置。
【請求項２】
前記強調化処理は、前記使用頻度の高さが二番目以降の文字の少なくとも一部が、通常
の印刷濃度よりも高い印刷濃度で印刷されるように前記一部の文字データの濃度情報を変
更する処理であることを特徴とする請求項１記載の印刷装置。
【請求項３】
前記強調化処理は、前記使用頻度が二番目に高い文字色の文字が最も印刷濃度が高くな
るように、当該二番目の文字色の文字データの濃度情報を変更することを特徴とする請求
項２記載の印刷装置。
【請求項４】
前記強調化処理は、前記使用頻度の高さが二番目以降の文字の少なくとも一部の文字デ
ータに対して、当該一部の文字に文字飾りを付与するデータを追加する処理であることを
特徴とする請求項１乃至請求項３のいずれか１項に記載の印刷装置。
【請求項５】
前記強調化処理手段は、前記文書をモノクロで印刷するときに、前記強調化処理を施す
ことを特徴とする請求項１乃至請求項４のいずれか１項に記載の印刷装置。
【請求項６】
前記濃度情報変更手段は、前記使用頻度の最も高い文字色の文字のうち文字飾りの付与
された文字及び特殊設定の文字の少なくとも一方の文字データの濃度情報を、通常の印刷
濃度よりも高くする変更を行うか、又は通常のままとすることを特徴とする請求項１乃至
請求項５のいずれか１項に記載の印刷装置。
【請求項７】
前記印刷濃度変更手段は、文字飾りの種類及び特殊設定の種類の少なくとも一方に対す
る濃度変更内容に係る情報を含む濃度変更情報に基づき、前記濃度情報の変更処理を行う
ことを特徴とする請求項６記載の印刷装置。
【請求項８】
前記強調化処理手段は、前記使用頻度の高さの各順位に対する濃度変更内容に係る情報
を含む濃度変更情報に基づき、前記濃度情報の変更処理を行うことを特徴とする請求項１
乃至請求項７のいずれか１項に記載の印刷装置。
【請求項９】
前記強調化処理手段は、各文字色に対する濃度変更内容に係る情報を含む濃度変更情報
に基づき、前記濃度情報の変更処理を行うことを特徴とする請求項１乃至請求項７のいず
れか１項に記載の印刷装置。
【請求項１０】
濃度変更内容のそれぞれ異なる複数種類の濃度変更情報から前記濃度情報の変更処理に
用いる濃度変更情報を選択する濃度変更情報選択手段を備え、
前記濃度変更情報選択手段で選択された濃度変更情報に基づき、前記文字データの濃度
情報の変更処理を行うことを特徴とする請求項７乃至請求項９のいずれか１項に記載の印
刷装置。
【請求項１１】
前記濃度変更内容を指定する濃度変更内容指定手段を備え、
前記強調化処理手段は、前記濃度変更内容指定手段で指定された濃度変更内容に基づき
、前記強調化処理を施すことを特徴とする請求項７乃至請求項１０のいずれか１項に記載
の印刷装置。
【請求項１２】
前記文書データが画像データを含むか否かを判定する第１判定手段と、
前記第１判定手段で画像データを含むと判定されたときに、当該画像データに文字画像
データが含まれるか否かを判定する第２判定手段とを備え、
前記第２判定手段で文字画像データを含むと判定したときに、当該文字画像データに対
して、前記使用頻度算出手段、前記濃度情報変更手段及び前記強調化処理手段の各処理を
行うことを特徴とする請求項１乃至請求項１１のいずれか１項に記載の印刷装置。
【請求項１３】
前記濃度情報変更手段は、前記第２判定手段で文字画像データを含むと判定したときに
、前記画像データにおける前記文字画像データ以外の画像データに対して、当該画像デー
タの画像の印刷濃度が一様に低減するように当該画像データの濃度情報を変更することを
特徴とする請求項１２記載の印刷装置。
【請求項１４】
文書データの示す文書を印刷するときに使用する着色材料の使用量を制御して、当該着
色材料の使用量を節約することができる印刷装置を制御するのに使用する印刷装置制御プ
ログラムであって、
前記文書中の文字のうち、使用頻度の最も高い文字色の文字が通常の印刷濃度よりも低
い印刷濃度で印刷されるように、前記使用頻度の最も高い文字色の文字データの濃度情報
を変更する濃度情報変更ステップと、
前記使用頻度の高さが二番目以降の文字色の文字の少なくとも一部が強調されて印刷さ
れるように、前記文書データにおける前記一部の文字データに対して強調化処理を施す強
調化処理ステップと、
前記濃度情報変更ステップで濃度情報が変更され、且つ前記強調化処理ステップで強調
化処理の施された文書データに基づき印刷用データを生成する印刷用データ生成ステップ
と、
前記印刷用データに基づき印刷を実行する印刷ステップとからなる処理をコンピュータ
に実行させるのに使用するプログラムを含むことを特徴とする印刷装置制御プログラム。
【請求項１５】
文書データの示す文書を印刷するときに使用する着色材料の使用量を制御して、当該着
色材料の使用量を節約することができる印刷装置を制御するのに使用する印刷装置制御方
法であって、
前記文書中の文字のうち、使用頻度の最も高い文字色の文字が通常の印刷濃度よりも低
い印刷濃度で印刷されるように、前記使用頻度の最も高い文字色の文字データの濃度情報
を変更する濃度情報変更ステップと、
前記使用頻度の高さが二番目以降の文字色の文字の少なくとも一部が強調されて印刷さ
れるように、前記文書データにおける前記一部の文字データに対して強調化処理を施す強
調化処理ステップと、
前記濃度情報変更ステップで濃度情報が変更され、且つ前記強調化処理ステップで強調
化処理の施された文書データに基づき印刷用データを生成する印刷用データ生成ステップ
と、
前記印刷用データに基づき印刷を実行する印刷ステップと、を含むことを特徴とする印
刷装置制御方法。
【請求項１６】
文書データの示す文書を印刷するときに使用する着色材料の使用量を制御して、当該着
色材料の使用量を節約することができる印刷装置において使用する印刷用データを生成す
る印刷用データ生成装置であって、
前記文書中の文字のうち、使用頻度の最も高い文字色の文字が通常の印刷濃度よりも低
い印刷濃度で印刷されるように、前記使用頻度の最も高い文字色の文字データの濃度情報
を変更する濃度情報変更手段と、
前記使用頻度の高さが二番目以降の文字色の文字の少なくとも一部が強調されて印刷さ
れるように、前記文書データにおける前記一部の文字データに対して強調化処理を施す強
調化処理手段と、
前記濃度情報変更手段で濃度情報が変更され、且つ前記強調化処理手段で強調化処理の
施された文書データに基づき印刷用データを生成する印刷用データ生成手段と、を備える
ことを特徴とする印刷用データ生成装置。
【請求項１７】
文書データの示す文書を印刷するときに使用する着色材料の使用量を制御して、当該着
色材料の使用量を節約することができる印刷装置において使用する印刷用データを生成す
る印刷用データ生成プログラムであって、
前記文書中の文字のうち、使用頻度の最も高い文字色の文字が通常の印刷濃度よりも低
い印刷濃度で印刷されるように、前記使用頻度の最も高い文字色の文字データの濃度情報
を変更する濃度情報変更ステップと、
前記使用頻度の高さが二番目以降の文字色の文字の少なくとも一部が強調されて印刷さ
れるように、前記文書データにおける前記一部の文字データに対して強調化処理を施す強
調化処理ステップと、
前記濃度情報変更ステップで濃度情報が変更され、且つ前記強調化処理ステップで強調
化処理の施された文書データに基づき印刷用データを生成する印刷用データ生成ステップ
とからなる処理をコンピュータに実行させるのに使用するプログラムを含むことを特徴と
する印刷用データ生成プログラム。
【請求項１８】
文書データの示す文書を印刷するときに使用する着色材料の使用量を制御して、当該着
色材料の使用量を節約することができる印刷装置において使用する印刷用データを生成す
る印刷用データ生成方法であって、
前記文書中の文字のうち、使用頻度の最も高い文字色の文字が通常の印刷濃度よりも低
い印刷濃度で印刷されるように、前記使用頻度の最も高い文字色の文字データの濃度情報
を変更する濃度情報変更ステップと、
前記使用頻度の高さが二番目以降の文字色の文字の少なくとも一部が強調されて印刷さ
れるように、前記文書データにおける前記一部の文字データに対して強調化処理を施す強
調化処理ステップと、
前記濃度情報変更ステップで濃度情報が変更され、且つ前記強調化処理ステップで強調
化処理の施された文書データに基づき印刷用データを生成する印刷用データ生成ステップ
と、を含むことを特徴とする印刷用データ生成方法。
【発明の詳細な説明】
【技術分野】
【０００１】
本発明は、印刷に使用するインクやトナーなどの着色材料を節約するのに好適な印刷装
置、印刷装置制御プログラム及び印刷装置制御方法、並びに印刷用データ生成装置、印刷
用データ生成プログラム及び印刷用データ生成方法に関する。
【背景技術】
【０００２】
従来、印刷装置において、インクやトナーなどの着色材料の使用量削減を狙って印刷物
を印刷するにあたり、印刷濃度を通常印刷時よりも低下させ、着色材料の使用量（インク
量やトナー量など）を節約する節約モードが存在する。そのモードでは、印刷する文字や
画像などの濃度を一様に低下させ、印刷に用いるインク量、トナー量などを減らすことに
よって節約を実現している。
【０００３】
このような、印刷時のインク量を削減（節約）する従来技術に関しては、例えば、特許
文献１に記載のファクシミリ装置、特許文献２に記載のカラー印刷装置などがある。
特許文献１の従来技術は、印字データの黒画素数をカウントし、このカウント値が予め
設定した一定値を越えている場合に、印字データの間引き処理を行って印字濃度を低下さ
せ、多くのトナーを使用する黒画像データを薄く印刷することによって、トナーの使用量
を節約するものである。
【０００４】
また、特許文献２の従来技術は、画像データからべた黒の文字のみを判別し、判別され
たべた黒の文字の塗り部分のドットの間引き、もしくは濃度を落とすことで、べた黒の文
字部分の印刷に使用するトナーの使用量を節約するものである。
【特許文献１】特開平９−９８２８４号公報
【特許文献２】特開２００４−２６８２８６号公報
【発明の開示】
【発明が解決しようとする課題】
【０００５】
ところで、カラー文字文書をモノクロにて印刷するにあたり、カラーからモノクロへと
変換して印刷すると、モノクロで記載されていた文字は、濃度が変動せずにそのまま印刷
されるか、あるいはほとんど変動しない状態で印刷されることになるが、強調などの意味
で色付けしていた文字データは、カラーで表現されていた場合と同じ濃度、あるいは、黒
との印刷部分との区別をするために、薄い濃度にて印刷されるようになっている。つまり
、強調したいという意図にて色付けされていた部分において、逆に濃度が薄くなり、強調
したい部分が目立たなくなるという問題が生じていた。
【０００６】
このように、カラー文字文書をモノクロにて印刷する際に、上記特許文献１及び特許文
献２の技術を適用すると、カラー文字部分に加えて黒文字部分も薄く印刷されるため、色
付けした文字などはさらに目立たなくなり、内容を読むことが難しい状況になってしまう
恐れがある。特に、文書において強調したい部分などには、カラー文字が使用されている
ケースが多く、間引きによって黒文字部分を薄く印刷することによって、色付けした部分
との見分けがつかなくなり、文字が強調されるどころか、逆に印象が薄くなってしまうと
いった問題が発生する恐れがある。
【０００７】
また、黒文字以外の色の文字で構成されるカラー文字文書をモノクロで印刷すると、前
記同様に、カラー文字部分が薄く印刷されてしまうため、例えば、大部分が青文字で構成
され、強調部分が赤文字で構成されているようなカラー文書をモノクロに変換して印刷す
る場合は、青文字も赤文字も両方とも薄く印刷され、強調部分が意味をなさなくなる上に
、文書全体が非常に読みにくい状態となる恐れがある。
【０００８】
また、上記特許文献１及び特許文献２の従来技術においては、黒文字のみの濃度を落と
すことで着色材料の使用量を低減するようにしているため、黒以外の色の文字で構成され
る文書については、着色材料の節約を行うことができないという問題がある。
そこで、本発明は、このような従来の技術の有する未解決の課題に着目してなされたも
のであって、強調したい部分の文字を強調させた状態で着色材料の節約を行うのに好適な
印刷装置、印刷装置制御プログラム及び印刷装置制御方法、並びに印刷用データ生成装置
、印刷用データ生成プログラム及び印刷用データ生成方法を提供することを目的としてい
る。
【課題を解決するための手段】
【０００９】
〔形態１〕  上記目的を達成するために、形態１の印刷装置は、
文書データの示す文書を印刷するときに使用する着色材料の使用量を制御して、当該着
色材料の使用量を節約することができる印刷装置であって、
前記文書中の文字のうち、使用頻度の最も高い文字色の文字が通常の印刷濃度よりも低
い印刷濃度で印刷されるように、前記使用頻度の最も高い文字色の文字データの濃度情報
を変更する濃度情報変更手段と、
前記使用頻度の高さが二番目以降の文字色の文字の少なくとも一部が強調されて印刷さ
れるように、前記文書データにおける前記一部の文字データに対して強調化処理を施す強
調化処理手段と、
前記濃度情報変更手段で濃度情報が変更され、且つ前記強調化処理手段で強調化処理の
施された文書データに基づき印刷用データを生成する印刷用データ生成手段と、
前記印刷用データに基づき印刷を実行する印刷手段と、を備えることを特徴としている
。
【００１０】
このような構成であれば、濃度情報変更手段によって、前記文書中の文字のうち、使用
頻度の最も高い文字色の文字が通常の印刷濃度よりも低い印刷濃度で印刷されるように、
前記使用頻度の最も高い文字色の文字データの濃度情報を変更することが可能であり、強
調化処理手段によって、前記使用頻度の高さが二番目以降の文字色の文字の少なくとも一
部が強調されて印刷されるように、前記文書データにおける前記一部の文字データに対し
て強調化処理を施すことが可能である。
【００１１】
更に、印刷用データ生成手段によって、前記濃度情報変更手段で濃度情報が変更され、
且つ前記強調化処理手段で強調化処理の施された文書データに基づき印刷用データを生成
することが可能であり、印刷手段によって、前記印刷用データに基づき印刷を実行するこ
とが可能である。
【００１２】
従って、使用頻度の最も高い色の文字は、通常よりもインクやトナー等の着色材料の使
用量を低減して印刷することができ、それ以外の文字の少なくとも一部は、強調して印刷
することができるので、例えば、強調目的で色づけされたと推測される文字（使用頻度が
二番目以降の文字）の濃度を通常よりも濃くしたり、文字飾りを付与したりするなどして
強調して印刷することができるので、強調目的の文字を読みやすい状態で印刷しつつ、着
色材料の使用量を節約することができるという効果が得られる。特に、カラー文書をモノ
クロ文書に変換して印刷するような場合に、通常ならば薄く印刷されてしまうような文字
を強調して印刷できるので、着色材料の節約に加え、強調部分の文字を読みやすい状態で
（例えば、明瞭に）印刷することができる。
【００１３】
ここで、文書データは、文字情報、画像情報、文字や画像のパレット情報、文書や画像
のレイアウト情報（レイアウトテンプレート情報）などから構成される。つまり、文書デ
ータとしては、ワープロソフト等で作成された文書データ等が含まれる。また、文書デー
タの中には、文字情報、パレット情報のみのもの、文字情報、パレット情報及びレイアウ
ト情報のみのものなど画像情報を含まない構成のものや、画像情報に重ねて文字情報が挿
入された構成のものなどもある。以下、「印刷装置制御プログラム」の形態、「印刷装置
制御方法」の形態、「印刷用データ生成装置」の形態、「印刷用データ生成プログラム」
の形態、「印刷用データ生成方法」の形態、実施の形態の欄などの記載などにおいて同じ
である。
【００１４】
また、文字データは、文字情報、パレット情報などを含んで構成されるデータである。
以下、「印刷装置制御プログラム」の形態、「印刷装置制御方法」の形態、「印刷用デー
タ生成装置」の形態、「印刷用データ生成プログラム」の形態、「印刷用データ生成方法
」の形態、実施の形態の欄などの記載などにおいて同じである。
【００１５】
また、濃度情報変更手段は、例えば、カラーの文書データに含まれるパレット情報など
から各文字データの文字色毎の文字数を計数して各文字色毎の使用頻度を求めて、最も高
い使用頻度の文字色を決定したり、予め黒文字などの特定の文字色を最も使用頻度の高い
文字色と決定したりする。そして、この決定した最も使用頻度の高い文字色の文字データ
に対して濃度変更処理を実行する。以下、「印刷装置制御プログラム」の形態、「印刷装
置制御方法」の形態、「印刷用データ生成装置」の形態、「印刷用データ生成プログラム
」の形態、「印刷用データ生成方法」の形態、実施の形態の欄などの記載などにおいて同
じである。
【００１６】
また、通常の印刷濃度とは、上記特許文献１や特許文献２などのようなトナーの使用量
を節約する処理を行わずに印刷した場合の濃度のことであり、例えば、文書データなどの
パレット情報の示す濃度に忠実に従って生成した印刷用データに基づいて印刷した場合の
濃度のことである。以下、「印刷装置制御プログラム」の形態、「印刷装置制御方法」の
形態、「印刷用データ生成装置」の形態、「印刷用データ生成プログラム」の形態、「印
刷用データ生成方法」の形態、実施の形態の欄などの記載などにおいて同じである。
【００１７】
また、強調化処理とは、処理対象の文字が印刷されたときに、その文字が着色材料を節
約して印刷した文字よりも目立つようにする処理であって、例えば、文字データのパレッ
ト情報に含まれる濃度情報を、通常の濃度よりも高い濃度で印刷されるように変更したり
、対象の文字データに文字飾りデータを付与したり、太字や斜体などの特殊設定を追加し
たりする処理などがある。以下、「印刷装置制御プログラム」の形態、「印刷装置制御方
法」の形態、「印刷用データ生成装置」の形態、「印刷用データ生成プログラム」の形態
、「印刷用データ生成方法」の形態、実施の形態の欄などの記載などにおいて同じである
。
【００１８】
また、印刷用データとは、印刷手段が印刷用紙等の印刷に用いる媒体に形成するドット
のサイズ及び配置（形成）位置のデータなどを含んで構成されるものである。このドット
サイズには、「ドットなし」を含む２種類以上のドットサイズがある。また、文字データ
を構成する各画素値に対して１つのドットが対応する場合と、各画素値に対して、複数の
ドットが対応する場合とがある。例えば、１画素を複数のドットで形成することにより、
各階調を面積階調で表現することができるので、少ないサイズ種類のドットで、様々な階
調を表現することができる。以下、「印刷装置制御プログラム」の形態、「印刷装置制御
方法」の形態、「印刷用データ生成装置」の形態、「印刷用データ生成プログラム」の形
態、「印刷用データ生成方法」の形態、実施の形態の欄などの記載などにおいて同じであ
る。
【００１９】
〔形態２〕  更に、形態２の印刷装置は、形態１の印刷装置において、
前記強調化処理は、前記使用頻度の高さが二番目以降の文字の少なくとも一部が、通常
の印刷濃度よりも高い印刷濃度で印刷されるように前記一部の文字データの濃度情報を変
更する処理であることを特徴としている。
【００２０】
このような構成であれば、文書中において最も使用頻度の高い色の文字が通常より薄い
濃度で印刷され、文書中において二番目以降に使用頻度の高い文字の少なくとも一部が通
常よりも濃い濃度で印刷されるので、例えば、強調目的と推測される色の文字を強調しつ
つ通常に印刷するよりも着色材料の使用量が節約される印刷を実行することができるとい
う効果が得られる。また、形態１と同様に、カラー文書をモノクロに変換して印刷する場
合に、例えば、当該カラー文書において黒文字が最も使用頻度が高いとすると、黒文字と
その他の色の文字との間の濃淡がはっきりと分かれた状態（コントラストが高い状態）と
なるように、その他の色の文字を通常よりも高い濃度で印刷することができるので、強調
部分の文字を読みやすい状態で（明瞭に）印刷することができるという効果が得られる。
【００２１】
〔形態３〕  更に、形態３の印刷装置は、形態２の印刷装置において、
前記強調化処理は、前記使用頻度が二番目に高い文字色の文字が最も印刷濃度が高くな
るように、当該二番目の文字色の文字データの濃度情報を変更することを特徴としている
。
このような構成であれば、使用頻度が二番目に高い文字色の文字が最も印刷濃度が高く
なるように印刷することが可能である。
【００２２】
一般に、強調したい文字は赤などで印字し、さらに区分けしたい場合などに他の色（青
などの色）を使用することが多い。例えば、色分けした中で最も使用頻度の高い文字を最
も高い濃度で印刷し、その他の色分けした文字を、これよりも低い濃度で且つ節約対象の
文字よりも高い濃度で印刷することで、色分けした中でも強調度合いを変えることができ
、より強調目的の文字を読みやすくすることができるという効果が得られる。
【００２３】
ここで、二番目以降に使用頻度の高い文字の少なくとも一部とは、例えば、文書データ
に４色の文字データが含まれている場合に、４色がそれぞれ異なる使用頻度であるとして
、使用頻度が二番目以降の３色のうち、少なくとも１色以上を一部としたり（この場合は
、文字色で区分け）、同じ文字色中の特定文字を含むもののみを一部としたりしても良い
。以下、「印刷装置制御プログラム」の形態、「印刷装置制御方法」の形態、「印刷用デ
ータ生成装置」の形態、「印刷用データ生成プログラム」の形態、「印刷用データ生成方
法」の形態、実施の形態の欄などの記載などにおいて同じである。
【００２４】
〔形態４〕  更に、形態４の印刷装置は、形態１乃至３のいずれか１の印刷装置におい
て、
前記強調化処理は、前記使用頻度の高さが二番目以降の文字の少なくとも一部の文字デ
ータに対して、当該一部の文字に文字飾りを付与するデータを追加する処理であることを
特徴としている。
【００２５】
このような構成であれば、文書中において最も使用頻度の高い色の文字が通常より薄い
濃度で印刷され、文書中において二番目以降に使用頻度の高い文字の少なくとも一部が文
字飾りの付与された状態で印刷されるので、強調目的と推測される色の文字を強調しつつ
通常に印刷するよりも着色材料の使用量が節約される印刷を実行することができるという
効果が得られる。また、形態１と同様に、カラー文書をモノクロに変換して印刷する場合
に、例えば、当該カラー文書において黒文字が最も使用頻度が高いとすると、薄く印刷さ
れる黒文字に対して、その他の色の文字には文字飾りが付与されるので、その他の色の文
字が薄く印刷されても、文字飾り（下線や囲み線など）によって目立たせることができる
ので、強調部分の文字を読みやすい状態で印刷することができるという効果が得られる。
【００２６】
〔形態５〕  更に、形態５の印刷装置は、形態１乃至４のいずれか１の印刷装置におい
て、
前記強調化処理手段は、前記文書をモノクロで印刷するときに、前記強調化処理を施す
ことを特徴としている。
このような構成であれば、カラー文書をモノクロ文書に変換して印刷するような場合に
、使用頻度が二番目以降の色の文字の少なくとも一部に対して、強調化処理を施すように
したので、前述したように、強調するために色づけした文字が通常ならば薄く印刷されて
しまうような場合に、強調化処理によって強調して印刷することができるので、着色材料
の節約に加え、強調部分の文字を読みやすい状態で（明瞭に）印刷することができるとい
う効果が得られる。
【００２７】
〔形態６〕  更に、形態６の印刷装置は、形態１乃至５のいずれか１の印刷装置におい
て、
前記濃度情報変更手段は、前記使用頻度の最も高い文字色の文字のうち文字飾りの付与
された文字及び特殊設定の文字の少なくとも一方の文字データの濃度情報を、通常の印刷
濃度よりも高くする変更を行うか、又は通常のままとすることを特徴としている。
【００２８】
このような構成であれば、色分けによる強調以外にも、使用頻度の最も高い文字色の文
字において文字飾りや、斜体、太字などの特殊設定などによって強調されている文字があ
る場合に、その文字を強調して印刷することができるので、着色材料の節約に加え、文字
飾りや特殊設定などで強調された文字についても読みやすい状態で印刷することができる
という効果が得られる。これにより、例えば、全て黒文字で文書が構成されいている場合
などに、文字飾りや特殊設定などで強調された文字についても強調して印刷することが可
能である。
【００２９】
〔形態７〕  更に、形態７の印刷装置は、形態６の印刷装置において、
前記印刷濃度変更手段は、文字飾りの種類及び特殊設定の種類の少なくとも一方に対す
る濃度変更内容に係る情報を含む濃度変更情報に基づき、前記濃度情報の変更処理を行う
ことを特徴としている。
【００３０】
このような構成であれば、文字飾りの種類及び特殊設定の種類の少なくとも一方に対す
る濃度変更内容が設定されたデータテーブルなどから構成される濃度変更情報に基づき、
使用頻度の最も高い文字色の文字のうち文字飾りの付与された文字及び特殊設定の文字の
少なくとも一方の文字データの濃度情報を変更することが可能となる。つまり、濃度変更
情報を改変したりすることで、様々なケース（文字飾りの種類及び特殊設定の種類）に簡
易に対応できる。従って、例えば、ユーザが自由に濃度変更情報を設定できるようにする
ことで、ユーザ毎に固有の濃度変更情報を用いて濃度情報の変更処理を行うことができる
ので、ユーザの好みに応じた印刷結果を得られる変更処理を行うことができるという効果
が得られる。
【００３１】
〔形態８〕  更に、形態８の印刷装置は、形態１乃至７のいずれか１の印刷装置におい
て、
前記強調化処理手段は、前記使用頻度の高さの各順位に対する濃度変更内容に係る情報
を含む濃度変更情報に基づき、前記濃度情報の変更処理を行うことを特徴としている。
このような構成であれば、使用頻度の高さの各順位に対する濃度変更内容が設定された
データテーブルなどから構成される濃度変更情報に基づき処理対象の文字データの濃度情
報を変更することが可能となる。つまり、濃度変更情報を改変したりすることで、各順位
に対する濃度情報の変更内容を簡易に変更できる。従って、例えば、ユーザが自由に濃度
変更情報を設定できるようにすることで、ユーザ毎に固有の濃度変更情報を用いて濃度情
報の変更処理を行うことができるので、ユーザの好みに応じた印刷結果を得られる変更処
理を行うことができるという効果が得られる。
【００３２】
〔形態９〕  更に、形態９の印刷装置は、形態１乃至７のいずれか１の印刷装置におい
て、
前記強調化処理手段は、各文字色に対する濃度変更内容に係る情報を含む濃度変更情報
に基づき、前記濃度情報の変更処理を行うことを特徴としている。
このような構成であれば、各文字色に対する濃度変更内容が設定されたデータテーブル
などから構成される濃度変更情報に基づき処理対象の文字データの濃度情報を変更するこ
とが可能となる。つまり、濃度変更情報を改変したりすることで、各色毎に対する濃度情
報の変更内容を簡易に変更できる。従って、例えば、ユーザが自由に濃度変更情報を設定
できるようにすることで、ユーザ毎に固有の濃度変更情報を用いて濃度情報の変更処理を
行うことができるので、ユーザの好みに応じた印刷結果を得られる変更処理を行うことが
できるという効果が得られる。
【００３３】
〔形態１０〕  更に、形態１０の印刷装置は、形態７乃至９のいずれか１の印刷装置に
おいて、
濃度変更内容のそれぞれ異なる複数種類の濃度変更情報から濃度情報の変更処理に用い
る濃度変更情報を選択する濃度変更情報選択手段を備え、
前記濃度変更情報選択手段で選択された濃度変更情報に基づき、前記文字データの濃度
情報の変更処理を行うことを特徴としている。
このような構成であれば、濃度変更情報選択手段によって、濃度変更内容のそれぞれ異
なる複数種類の濃度変更情報から濃度情報の変更処理に用いる濃度変更情報を選択するこ
とが可能であり、これにより、前記濃度変更情報選択手段で選択された濃度変更情報に基
づき、前記文字データの濃度情報の変更処理を行うことが可能である。
【００３４】
つまり、濃度変更情報選択手段によって、例えば、複数種類の濃度変更情報の中からユ
ーザが任意の濃度変更情報を選択できるようにすることで、文書データの種類などに応じ
て、ユーザは簡易に好みの印刷結果の得られる濃度変更情報を選択して濃度変更処理を実
行することができるという効果が得られる。また、濃度変更情報選択手段によって、例え
ば、文書データの種類に応じて、濃度変更情報を自動で選択するようにすることで、ユー
ザを煩わせることなく、簡易に、比較的適切な濃度変更処理を実行することができるとい
う効果が得られる。
【００３５】
〔形態１１〕  更に、形態１１の印刷装置は、形態７乃至１０のいずれか１の印刷装置
において、
前記濃度変更内容を指定する濃度変更内容指定手段を備え、
前記強調化処理手段は、前記濃度変更内容指定手段で指定された濃度変更内容に基づき
、前記強調化処理を施すことを特徴としている。
このような構成であれば、濃度変更内容指定手段によって、前記濃度変更内容を指定す
ることが可能であり、前記強調化処理手段は、前記濃度変更内容指定手段で指定された濃
度変更内容に基づき、前記強調化処理を施すことが可能である。
【００３６】
つまり、強調化処理を施す文字色を指定したり、強調化処理を施す文字飾りの種類を指
定したりするなどが可能となるので、ユーザは、簡易に任意の濃度変更内容で濃度変更処
理を行わせることができるという効果が得られる。これにより、例えば、使用頻度が二番
目以降に高い文字色のうち任意の文字色に対して強調化処理を実行し、他の色の文字に対
しては強調化処理を実行しないなどの変更内容を設定することが可能となる。
【００３７】
〔形態１２〕  更に、形態１２の印刷装置は、形態１乃至１１のいずれか１の印刷装置
において、
前記文書データが画像データを含むか否かを判定する第１判定手段と、
前記第１判定手段で画像データを含むと判定されたときに、当該画像データに文字画像
データが含まれるか否かを判定する第２判定手段とを備え、
前記第２判定手段で文字画像データを含むと判定したときに、当該文字画像データに対
して、前記使用頻度算出手段、前記濃度情報変更手段及び前記強調化処理手段の各処理を
行うことを特徴としている。
【００３８】
このような構成であれば、第１判定手段によって、前記文書データが画像データを含む
か否かを判定することが可能であり、第２判定手段によって、前記第１判定手段で画像デ
ータを含むと判定されたときに、当該画像データに文字画像データが含まれるか否かを判
定することが可能であり、前記第２判定手段で文字画像データを含むと判定したときに、
当該文字画像データに対して、前記使用頻度算出手段、前記濃度情報変更手段及び前記強
調化処理手段の各処理を行うことが可能である。
【００３９】
従って、文書データ中の画像に文字画像があるような場合にも、当該文字画像データの
印刷において、着色材料を節約し且つ強調目的の文字については強調して印刷することが
できるので、文書データ中の画像に文字画像があるような場合でも適切に着色材料の節約
及び強調目的の文字の強調印刷を行うことができるという効果が得られる。
【００４０】
〔形態１３〕  更に、形態１３の印刷装置は、形態１２の印刷装置において、
前記濃度情報変更手段は、前記第２判定手段で文字画像データを含むと判定したときに
、前記画像データにおける前記文字画像データ以外の画像データに対して、当該画像デー
タの画像の印刷濃度が一様に低減するように当該画像データの濃度情報を変更することを
特徴としている。
このような構成であれば、文書データ中の文字画像データ以外の画像データの印刷につ
いても、着色材料の節約をすることができるので、より着色材料の使用量を節約した印刷
を行うことができるという効果が得られる。
【００４１】
〔形態１４〕  一方、上記目的を達成するために、形態１４の印刷装置制御プログラム
は、
文書データの示す文書を印刷するときに使用する着色材料の使用量を制御して、当該着
色材料の使用量を節約することができる印刷装置を制御するのに使用する印刷装置制御プ
ログラムであって、
前記文書中の文字のうち、使用頻度の最も高い文字色の文字が通常の印刷濃度よりも低
い印刷濃度で印刷されるように、前記使用頻度の最も高い文字色の文字データの濃度情報
を変更する濃度情報変更ステップと、
前記使用頻度の高さが二番目以降の文字色の文字の少なくとも一部が強調されて印刷さ
れるように、前記文書データにおける前記一部の文字データに対して強調化処理を施す強
調化処理ステップと、
前記濃度情報変更ステップで濃度情報が変更され、且つ前記強調化処理ステップで強調
化処理の施された文書データに基づき印刷用データを生成する印刷用データ生成ステップ
と、
前記印刷用データに基づき印刷を実行する印刷ステップとからなる処理をコンピュータ
に実行させるのに使用するプログラムを含むことを特徴としている。
【００４２】
このような構成であれば、コンピュータによってプログラムが読み取られ、読み取られ
たプログラムに従ってコンピュータが処理を実行すると、形態１の印刷装置と同等の作用
及び効果が得られる。
また、インクジェットプリンタなどといった現在市場に出回っている殆どの印刷装置は
中央処理装置（ＣＰＵ）や記憶装置（ＲＡＭ、ＲＯＭ）、入出力装置などからなるコンピ
ュータシステムを備えており、そのコンピュータシステムを用いてソフトウェアによって
前記各手段を実現することができるため、専用のハードウェアを作成して前記各手段を実
現する場合に比べて経済的かつ容易に実現することができる。さらに、プログラムの一部
を書き換えることによって機能改変や改良などによるバージョンアップも容易に行うこと
ができる。以下、「印刷装置制御プログラム」の形態において同じである。
【００４３】
〔形態１５〕  更に、形態１５の印刷装置制御プログラムは、形態１４の印刷装置制御
プログラムにおいて、
前記強調化処理は、前記使用頻度の高さが二番目以降の文字の少なくとも一部が、通常
の印刷濃度よりも高い印刷濃度で印刷されるように前記一部の文字データの濃度情報を変
更する処理であることを特徴としている。
このような構成であれば、コンピュータによってプログラムが読み取られ、読み取られ
たプログラムに従ってコンピュータが処理を実行すると、形態２の印刷装置と同等の作用
及び効果が得られる。
【００４４】
〔形態１６〕  更に、形態１６の印刷装置制御プログラムは、形態１５の印刷装置制御
プログラムにおいて、
前記強調化処理は、前記使用頻度が二番目に高い文字色の文字が最も印刷濃度が高くな
るように、当該二番目の文字色の文字データの濃度情報を変更することを特徴としている
。
このような構成であれば、コンピュータによってプログラムが読み取られ、読み取られ
たプログラムに従ってコンピュータが処理を実行すると、形態３の印刷装置と同等の作用
及び効果が得られる。
【００４５】
〔形態１７〕  更に、形態１７の印刷装置制御プログラムは、形態１４乃至１６のいず
れか１の印刷装置制御プログラムにおいて、
前記強調化処理は、前記使用頻度の高さが二番目以降の文字の少なくとも一部の文字デ
ータに対して、当該一部の文字に文字飾りを付与するデータを追加する処理であることを
特徴としている。
このような構成であれば、コンピュータによってプログラムが読み取られ、読み取られ
たプログラムに従ってコンピュータが処理を実行すると、形態４の印刷装置と同等の作用
及び効果が得られる。
【００４６】
〔形態１８〕  更に、形態１８の印刷装置制御プログラムは、形態１４乃至１７のいず
れか１の印刷装置制御プログラムにおいて、
前記強調化処理ステップにおいては、前記文書をモノクロで印刷するときに、前記強調
化処理を施すことを特徴としている。
このような構成であれば、コンピュータによってプログラムが読み取られ、読み取られ
たプログラムに従ってコンピュータが処理を実行すると、形態５の印刷装置と同等の作用
及び効果が得られる。
【００４７】
〔形態１９〕  更に、形態１９の印刷装置制御プログラムは、形態１４乃至１８のいず
れか１の印刷装置制御プログラムにおいて、
前記濃度情報変更ステップにおいては、前記使用頻度の最も高い文字色の文字のうち文
字飾りの付与された文字及び特殊設定の文字の少なくとも一方の文字データの濃度情報を
、通常の印刷濃度よりも高くする変更を行うか、又は通常のままとすることを特徴として
いる。
このような構成であれば、コンピュータによってプログラムが読み取られ、読み取られ
たプログラムに従ってコンピュータが処理を実行すると、形態６の印刷装置と同等の作用
及び効果が得られる。
【００４８】
〔形態２０〕  更に、形態２０の印刷装置制御プログラムは、形態１９の印刷装置制御
プログラムにおいて、
前記印刷濃度変更ステップにおいては、文字飾りの種類及び特殊設定の種類の少なくと
も一方に対する濃度変更内容に係る情報を含む濃度変更情報に基づき、前記濃度情報の変
更処理を行うことを特徴としている。
このような構成であれば、コンピュータによってプログラムが読み取られ、読み取られ
たプログラムに従ってコンピュータが処理を実行すると、形態７の印刷装置と同等の作用
及び効果が得られる。
【００４９】
〔形態２１〕  更に、形態２１の印刷装置制御プログラムは、形態１４乃至２０のいず
れか１の印刷装置制御プログラムにおいて、
前記強調化処理ステップにおいては、前記使用頻度の高さの各順位に対する濃度変更内
容に係る情報を含む濃度変更情報に基づき、前記濃度情報の変更処理を行うことを特徴と
している。
このような構成であれば、コンピュータによってプログラムが読み取られ、読み取られ
たプログラムに従ってコンピュータが処理を実行すると、形態８の印刷装置と同等の作用
及び効果が得られる。
【００５０】
〔形態２２〕  更に、形態２２の印刷装置制御プログラムは、形態１４乃至２０のいず
れか１の印刷装置制御プログラムにおいて、
前記強調化処理ステップにおいては、各文字色に対する濃度変更内容に係る情報を含む
濃度変更情報に基づき、前記濃度情報の変更処理を行うことを特徴としている。
このような構成であれば、コンピュータによってプログラムが読み取られ、読み取られ
たプログラムに従ってコンピュータが処理を実行すると、形態９の印刷装置と同等の作用
及び効果が得られる。
【００５１】
〔形態２３〕  更に、形態２３の印刷装置制御プログラムは、形態２０乃至２２のいず
れか１の印刷装置制御プログラムにおいて、
濃度変更内容のそれぞれ異なる複数種類の濃度変更情報から濃度情報の変更処理に用い
る濃度変更情報を選択する濃度変更情報選択ステップをコンピュータに実行させるのに使
用するプログラムを含み、
前記濃度変更情報選択ステップで選択された濃度変更情報に基づき、前記文字データの
濃度情報の変更処理を行うことを特徴としている。
このような構成であれば、コンピュータによってプログラムが読み取られ、読み取られ
たプログラムに従ってコンピュータが処理を実行すると、形態１０の印刷装置と同等の作
用及び効果が得られる。
【００５２】
〔形態２４〕  更に、形態２４の印刷装置制御プログラムは、形態２０乃至２３のいず
れか１の印刷装置制御プログラムにおいて、
前記濃度変更内容を指定する濃度変更内容指定ステップをコンピュータに実行させるの
に使用するプログラムを含み、
前記強調化処理ステップにおいては、前記濃度変更内容指定ステップで指定された濃度
変更内容に基づき、前記強調化処理を施すことを特徴としている。
このような構成であれば、コンピュータによってプログラムが読み取られ、読み取られ
たプログラムに従ってコンピュータが処理を実行すると、形態１１の印刷装置と同等の作
用及び効果が得られる。
【００５３】
〔形態２５〕  更に、形態２５の印刷装置制御プログラムは、形態１４乃至２４のいず
れか１の印刷装置制御プログラムにおいて、
前記文書データが画像データを含むか否かを判定する第１判定ステップと、
前記第１判定ステップで画像データを含むと判定されたときに、当該画像データに文字
画像データが含まれるか否かを判定する第２判定ステップとからなる処理をコンピュータ
に実行させるのに使用するプログラムを含み、
前記第２判定ステップで文字画像データを含むと判定したときに、当該文字画像データ
に対して、前記使用頻度算出ステップ、前記濃度情報変更ステップ及び前記強調化処理ス
テップの各処理を行うことを特徴としている。
このような構成であれば、コンピュータによってプログラムが読み取られ、読み取られ
たプログラムに従ってコンピュータが処理を実行すると、形態１２の印刷装置と同等の作
用及び効果が得られる。
【００５４】
〔形態２６〕  更に、形態２６の印刷装置制御プログラムは、形態２５の印刷装置制御
プログラムにおいて、
前記濃度情報変更ステップにおいては、前記第２判定ステップで文字画像データを含む
と判定したときに、前記画像データにおける前記文字画像データ以外の画像データに対し
て、当該画像データの画像の印刷濃度が一様に低減するように前記画像データの濃度情報
を変更することを特徴としている。
このような構成であれば、コンピュータによってプログラムが読み取られ、読み取られ
たプログラムに従ってコンピュータが処理を実行すると、形態１３の印刷装置と同等の作
用及び効果が得られる。
【００５５】
〔形態２７〕  一方、上記目的を達成するために、形態２７のコンピュータ読み取り可
能な記憶媒体は、形態１４乃至２６のいずれか１の印刷装置制御プログラムの記憶された
コンピュータ読み取り可能な記憶媒体である。
これによって、ＣＤ−ＲＯＭやＤＶＤ−ＲＯＭ、ＦＤ、半導体チップなどのコンピュー
タ読み取り可能な記憶媒体を介して前記形態１４乃至２６のいずれか１の印刷装置制御プ
ログラムをユーザなどの需用者に対して容易かつ確実に提供することができる。
【００５６】
〔形態２８〕  一方、上記目的を達成するために、形態２８の印刷装置制御方法は、
文書データの示す文書を印刷するときに使用する着色材料の使用量を制御して、当該着
色材料の使用量を節約することができる印刷装置を制御するのに使用する印刷装置制御方
法であって、
前記文書中の文字のうち、使用頻度の最も高い文字色の文字が通常の印刷濃度よりも低
い印刷濃度で印刷されるように、前記使用頻度の最も高い文字色の文字データの濃度情報
を変更する濃度情報変更ステップと、
前記使用頻度の高さが二番目以降の文字色の文字の少なくとも一部が強調されて印刷さ
れるように、前記文書データにおける前記一部の文字データに対して強調化処理を施す強
調化処理ステップと、
前記濃度情報変更ステップで濃度情報が変更され、且つ前記強調化処理ステップで強調
化処理の施された文書データに基づき印刷用データを生成する印刷用データ生成ステップ
と、
前記印刷用データに基づき印刷を実行する印刷ステップと、を含むことを特徴としてい
る。
これによって、形態１の印刷装置と同等の効果が得られる。
【００５７】
〔形態２９〕  更に、形態２８の印刷装置制御方法は、形態２７の印刷装置制御方法に
おいて、
前記強調化処理は、前記使用頻度の高さが二番目以降の文字の少なくとも一部が、通常
の印刷濃度よりも高い印刷濃度で印刷されるように前記一部の文字データの濃度情報を変
更する処理であることを特徴としている。
これによって、形態２の印刷装置と同等の効果が得られる。
【００５８】
〔形態３０〕  更に、形態３０の印刷装置制御方法は、形態２９の印刷装置制御方法に
おいて、
前記強調化処理は、前記使用頻度が二番目に高い文字色の文字が最も印刷濃度が高くな
るように、当該二番目の文字色の文字データの濃度情報を変更することを特徴としている
。
これによって、形態３の印刷装置と同等の効果が得られる。
【００５９】
〔形態３１〕  更に、形態３１の印刷装置制御方法は、形態２８乃至３０のいずれか１
の印刷装置制御方法において、
前記強調化処理は、前記使用頻度の高さが二番目以降の文字の少なくとも一部の文字デ
ータに対して、当該一部の文字に文字飾りを付与するデータを追加する処理であることを
特徴としている。
これによって、形態４の印刷装置と同等の効果が得られる。
【００６０】
〔形態３２〕  更に、形態３２の印刷装置制御方法は、形態２８乃至３１のいずれか１
の印刷装置制御方法において、
前記強調化処理ステップにおいては、前記文書をモノクロで印刷するときに、前記強調
化処理を施すことを特徴としている。
これによって、形態５の印刷装置と同等の効果が得られる。
【００６１】
〔形態３３〕  更に、形態３３の印刷装置制御方法は、形態２８乃至３２のいずれか１
の印刷装置制御方法において、
前記濃度情報変更ステップにおいては、前記使用頻度の最も高い文字色の文字のうち文
字飾りの付与された文字及び特殊設定の文字の少なくとも一方の文字データの濃度情報を
、通常の印刷濃度よりも高くする変更を行うか、又は通常のままとすることを特徴として
いる。
これによって、形態６の印刷装置と同等の効果が得られる。
【００６２】
〔形態３４〕  更に、形態３４の印刷装置制御方法は、形態３３の印刷装置制御方法に
おいて、
前記印刷濃度変更ステップにおいては、文字飾りの種類及び特殊設定の種類の少なくと
も一方に対する濃度変更内容に係る情報を含む濃度変更情報に基づき、前記濃度情報の変
更処理を行うことを特徴としている。
これによって、形態７の印刷装置と同等の効果が得られる。
【００６３】
〔形態３５〕  更に、形態３５の印刷装置制御方法は、形態２８乃至３４のいずれか１
の印刷装置制御方法において、
前記強調化処理ステップにおいては、前記使用頻度の高さの各順位に対する濃度変更内
容に係る情報を含む濃度変更情報に基づき、前記濃度情報の変更処理を行うことを特徴と
している。
これによって、形態８の印刷装置と同等の効果が得られる。
【００６４】
〔形態３６〕  更に、形態３６の印刷装置制御方法は、形態２８乃至３４のいずれか１
の印刷装置制御方法において、
前記強調化処理ステップにおいては、各文字色に対する濃度変更内容に係る情報を含む
濃度変更情報に基づき、前記濃度情報の変更処理を行うことを特徴としている。
これによって、形態９の印刷装置と同等の効果が得られる。
【００６５】
〔形態３７〕  更に、形態３７の印刷装置制御方法は、形態３４乃至３６のいずれか１
の印刷装置制御方法において、
濃度変更内容のそれぞれ異なる複数種類の濃度変更情報から濃度情報の変更処理に用い
る濃度変更情報を選択する濃度変更情報選択ステップを含み、
前記濃度変更情報選択ステップで選択された濃度変更情報に基づき、前記文字データの
濃度情報の変更処理を行うことを特徴としている。
これによって、形態１０の印刷装置と同等の効果が得られる。
【００６６】
〔形態３８〕  更に、形態３８の印刷装置制御方法は、形態３４乃至３７のいずれか１
の印刷装置制御方法において、
前記濃度変更内容を指定する濃度変更内容指定ステップを含み、
前記強調化処理ステップにおいては、前記濃度変更内容指定ステップで指定された濃度
変更内容に基づき、前記強調化処理を施すことを特徴としている。
これによって、形態１１の印刷装置と同等の効果が得られる。
【００６７】
〔形態３９〕  更に、形態３９の印刷装置制御方法は、形態２８乃至３８のいずれか１
の印刷装置制御方法において、
前記文書データが画像データを含むか否かを判定する第１判定ステップと、
前記第１判定ステップで画像データを含むと判定されたときに、当該画像データに文字
画像データが含まれるか否かを判定する第２判定ステップとを含み、
前記第２判定ステップで文字画像データを含むと判定したときに、当該文字画像データ
に対して、前記使用頻度算出ステップ、前記濃度情報変更ステップ及び前記強調化処理ス
テップの各処理を行うことを特徴としている。
これによって、形態１２の印刷装置と同等の効果が得られる。
【００６８】
〔形態４０〕  更に、形態４０の印刷装置制御方法は、形態３９の印刷装置制御方法に
おいて、
前記濃度情報変更ステップにおいては、前記第２判定ステップで文字画像データを含む
と判定したときに、前記画像データにおける前記文字画像データ以外の画像データに対し
て、当該画像データの画像の印刷濃度が一様に低減するように前記画像データの濃度情報
を変更することを特徴としている。
これによって、形態１３の印刷装置と同等の効果が得られる。
【００６９】
〔形態４１〕  一方、上記目的を達成するために、形態４１の印刷用データ生成装置は
、
文書データの示す文書を印刷するときに使用する着色材料の使用量を制御して、当該着
色材料の使用量を節約することができる印刷装置において使用する印刷用データを生成す
る印刷用データ生成装置であって、
前記文書中の文字のうち、使用頻度の最も高い文字色の文字が通常の印刷濃度よりも低
い印刷濃度で印刷されるように、前記使用頻度の最も高い文字色の文字データの濃度情報
を変更する濃度情報変更手段と、
前記使用頻度の高さが二番目以降の文字色の文字の少なくとも一部が強調されて印刷さ
れるように、前記文書データにおける前記一部の文字データに対して強調化処理を施す強
調化処理手段と、
前記濃度情報変更手段で濃度情報が変更され、且つ前記強調化処理手段で強調化処理の
施された文書データに基づき印刷用データを生成する印刷用データ生成手段と、を備える
ことを特徴としている。
【００７０】
すなわち、本形態は、前記印刷装置のような実際に印刷を実行するための印刷手段を含
むものではなく、文書データに基づいて印刷用データを生成することに特化したものであ
る。
このような構成であれば、形態１の印刷装置と同様の作用及び効果を得ることができる
と共に、例えば、本形態で生成した印刷用データを印刷装置に送るだけで、当該印刷装置
で印刷処理を実行できる構成とすることが可能となるので、専用の印刷装置を用意するこ
となく、既存のインクジェット方式やレーザー方式などの印刷装置をそのまま利用するこ
とができる。
また、ＰＣ（Personal Computer）などの汎用の情報処理装置を利用することができる
ため、ＰＣなどの印刷指示装置と、インクジェットプリンタ、レーザープリンタなどのプ
リンタ装置とからなる既存の印刷システムをそのまま活用することができる。
【００７１】
〔形態４２〕  更に、形態４２の印刷用データ生成装置は、形態４１の印刷用データ生
成装置において、
前記強調化処理は、前記使用頻度の高さが二番目以降の文字の少なくとも一部が、通常
の印刷濃度よりも高い印刷濃度で印刷されるように前記一部の文字データの濃度情報を変
更する処理であることを特徴としている。
これによって、形態２の印刷装置と同等の作用及び効果が得られる。
【００７２】
〔形態４３〕  更に、形態４３の印刷用データ生成装置は、形態４２の印刷用データ生
成装置において、
前記強調化処理は、前記使用頻度が二番目に高い文字色の文字が最も印刷濃度が高くな
るように、当該二番目の文字色の文字データの濃度情報を変更することを特徴としている
。
これによって、形態３の印刷装置と同等の作用及び効果が得られる。
【００７３】
〔形態４４〕  更に、形態４４の印刷用データ生成装置は、形態４１乃至４３のいずれ
か１の印刷用データ生成装置において、
前記強調化処理は、前記使用頻度の高さが二番目以降の文字の少なくとも一部の文字デ
ータに対して、当該一部の文字に文字飾りを付与するデータを追加する処理であることを
特徴としている。
これによって、形態４の印刷装置と同等の作用及び効果が得られる。
【００７４】
〔形態４５〕  更に、形態４５の印刷用データ生成装置は、形態４１乃至４４のいずれ
か１の印刷用データ生成装置において、
前記強調化処理手段は、前記文書をモノクロで印刷するときに、前記強調化処理を施す
ことを特徴としている。
これによって、形態５の印刷装置と同等の作用及び効果が得られる。
【００７５】
〔形態４６〕  更に、形態４６の印刷用データ生成装置は、形態４１乃至４５のいずれ
か１の印刷用データ生成装置において、
前記濃度情報変更手段は、前記使用頻度の最も高い文字色の文字のうち文字飾りの付与
された文字及び特殊設定の文字の少なくとも一方の文字データの濃度情報を、通常の印刷
濃度よりも高くする変更を行うか、又は通常のままとすることを特徴としている。
これによって、形態６の印刷装置と同等の作用及び効果が得られる。
【００７６】
〔形態４７〕  更に、形態４７の印刷用データ生成装置は、形態４６の印刷用データ生
成装置において、
前記印刷濃度変更手段は、文字飾りの種類及び特殊設定の種類の少なくとも一方に対す
る濃度変更内容に係る情報を含む濃度変更情報に基づき、前記濃度情報の変更処理を行う
ことを特徴としている。
これによって、形態７の印刷装置と同等の作用及び効果が得られる。
【００７７】
〔形態４８〕  更に、形態４８の印刷用データ生成装置は、形態４１乃至４７のいずれ
か１の印刷用データ生成装置において、
前記強調化処理手段は、前記使用頻度の高さの各順位に対する濃度変更内容に係る情報
を含む濃度変更情報に基づき、前記濃度情報の変更処理を行うことを特徴としている。
これによって、形態８の印刷装置と同等の作用及び効果が得られる。
【００７８】
〔形態４９〕  更に、形態４９の印刷用データ生成装置は、形態４１乃至４７のいずれ
か１の印刷用データ生成装置において、
前記強調化処理ステップにおいては、各文字色に対する濃度変更内容に係る情報を含む
濃度変更情報に基づき、前記濃度情報の変更処理を行うことを特徴としている。
これによって、形態９の印刷装置と同等の作用及び効果が得られる。
【００７９】
〔形態５０〕  更に、形態５０の印刷用データ生成装置は、形態４７乃至４９のいずれ
か１の印刷用データ生成装置において、
濃度変更内容のそれぞれ異なる複数種類の濃度変更情報から濃度情報の変更処理に用い
る濃度変更情報を選択する濃度変更情報選択手段を備え、
前記濃度変更情報選択手段で選択された濃度変更情報に基づき、前記文字データの濃度
情報の変更処理を行うことを特徴としている。
これによって、形態１０の印刷装置と同等の作用及び効果が得られる。
【００８０】
〔形態５１〕  更に、形態５１の印刷用データ生成装置は、形態４７乃至５０のいずれ
か１の印刷用データ生成装置において、
前記濃度変更内容を指定する濃度変更内容指定手段を備え、
前記強調化処理手段は、前記濃度変更内容指定手段で指定された濃度変更内容に基づき
、前記強調化処理を施すことを特徴としている。
これによって、形態１１の印刷装置と同等の作用及び効果が得られる。
【００８１】
〔形態５２〕  更に、形態５２の印刷用データ生成装置は、形態４１乃至５１のいずれ
か１の印刷用データ生成装置において、
前記文書データが画像データを含むか否かを判定する第１判定手段と、
前記第１判定手段で画像データを含むと判定されたときに、当該画像データに文字画像
データが含まれるか否かを判定する第２判定手段とを備え、
前記第２判定手段で文字画像データを含むと判定したときに、当該文字画像データに対
して、前記使用頻度算出手段、前記濃度情報変更手段及び前記強調化処理手段の各処理を
行うことを特徴としている。
これによって、形態１２の印刷装置と同等の作用及び効果が得られる。
【００８２】
〔形態５３〕  更に、形態５３の印刷用データ生成装置は、形態５２の印刷用データ生
成装置において、
前記濃度情報変更手段は、前記第２判定手段で文字画像データを含むと判定したときに
、前記画像データにおける前記文字画像データ以外の画像データに対して、当該画像デー
タの画像の印刷濃度が一様に低減するように前記画像データの濃度情報を変更することを
特徴としている。
これによって、形態１３の印刷装置と同等の作用及び効果が得られる。
【００８３】
〔形態５４〕  一方、上記目的を達成するために、形態５４の印刷用データ生成プログ
ラムは、
文書データの示す文書を印刷するときに使用する着色材料の使用量を制御して、当該着
色材料の使用量を節約することができる印刷装置において使用する印刷用データを生成す
る印刷用データ生成プログラムであって、
前記文書中の文字のうち、使用頻度の最も高い文字色の文字が通常の印刷濃度よりも低
い印刷濃度で印刷されるように、前記使用頻度の最も高い文字色の文字データの濃度情報
を変更する濃度情報変更ステップと、
前記使用頻度の高さが二番目以降の文字色の文字の少なくとも一部が強調されて印刷さ
れるように、前記文書データにおける前記一部の文字データに対して強調化処理を施す強
調化処理ステップと、
前記濃度情報変更ステップで濃度情報が変更され、且つ前記強調化処理ステップで強調
化処理の施された文書データに基づき印刷用データを生成する印刷用データ生成ステップ
とからなる処理をコンピュータに実行させるのに使用するプログラムを含むことを特徴と
している。
【００８４】
このような構成であれば、コンピュータによってプログラムが読み取られ、読み取られ
たプログラムに従ってコンピュータが処理を実行すると、形態１の印刷装置と同等の作用
及び効果が得られる。
【００８５】
〔形態５５〕  更に、形態５５の印刷用データ生成プログラムは、形態５４の印刷用デ
ータ生成プログラムにおいて、
前記強調化処理は、前記使用頻度の高さが二番目以降の文字の少なくとも一部が、通常
の印刷濃度よりも高い印刷濃度で印刷されるように前記一部の文字データの濃度情報を変
更する処理であることを特徴としている。
このような構成であれば、コンピュータによってプログラムが読み取られ、読み取られ
たプログラムに従ってコンピュータが処理を実行すると、形態２の印刷装置と同等の作用
及び効果が得られる。
【００８６】
〔形態５６〕  更に、形態５６の印刷用データ生成プログラムは、形態５５の印刷用デ
ータ生成プログラムにおいて、
前記強調化処理は、前記使用頻度が二番目に高い文字色の文字が最も印刷濃度が高くな
るように、当該二番目の文字色の文字データの濃度情報を変更することを特徴としている
。
このような構成であれば、コンピュータによってプログラムが読み取られ、読み取られ
たプログラムに従ってコンピュータが処理を実行すると、形態３の印刷装置と同等の作用
及び効果が得られる。
【００８７】
〔形態５７〕  更に、形態５７の印刷用データ生成プログラムは、形態５４乃至５６の
いずれか１の印刷用データ生成プログラムにおいて、
前記強調化処理は、前記使用頻度の高さが二番目以降の文字の少なくとも一部の文字デ
ータに対して、当該一部の文字に文字飾りを付与するデータを追加する処理であることを
特徴としている。
このような構成であれば、コンピュータによってプログラムが読み取られ、読み取られ
たプログラムに従ってコンピュータが処理を実行すると、形態４の印刷装置と同等の作用
及び効果が得られる。
【００８８】
〔形態５８〕  更に、形態５８の印刷用データ生成プログラムは、形態５４乃至５７の
いずれか１の印刷用データ生成プログラムにおいて、
前記強調化処理ステップにおいては、前記文書をモノクロで印刷するときに、前記強調
化処理を施すことを特徴としている。
このような構成であれば、コンピュータによってプログラムが読み取られ、読み取られ
たプログラムに従ってコンピュータが処理を実行すると、形態５の印刷装置と同等の作用
及び効果が得られる。
【００８９】
〔形態５９〕  更に、形態５９の印刷用データ生成プログラムは、形態５４乃至５８の
いずれか１の印刷用データ生成プログラムにおいて、
前記濃度情報変更ステップにおいては、前記使用頻度の最も高い文字色の文字のうち文
字飾りの付与された文字及び特殊設定の文字の少なくとも一方の文字データの濃度情報を
、通常の印刷濃度よりも高くする変更を行うか、又は通常のままとすることを特徴として
いる。
このような構成であれば、コンピュータによってプログラムが読み取られ、読み取られ
たプログラムに従ってコンピュータが処理を実行すると、形態６の印刷装置と同等の作用
及び効果が得られる。
【００９０】
〔形態６０〕  更に、形態６０の印刷用データ生成プログラムは、形態５９の印刷用デ
ータ生成プログラムにおいて、
前記印刷濃度変更ステップにおいては、文字飾りの種類及び特殊設定の種類の少なくと
も一方に対する濃度変更内容に係る情報を含む濃度変更情報に基づき、前記濃度情報の変
更処理を行うことを特徴としている。
このような構成であれば、コンピュータによってプログラムが読み取られ、読み取られ
たプログラムに従ってコンピュータが処理を実行すると、形態７の印刷装置と同等の作用
及び効果が得られる。
【００９１】
〔形態６１〕  更に、形態６１の印刷用データ生成プログラムは、形態５４乃至６０の
いずれか１の印刷用データ生成プログラムにおいて、
前記強調化処理ステップにおいては、前記使用頻度の高さの各順位に対する濃度変更内
容に係る情報を含む濃度変更情報に基づき、前記濃度情報の変更処理を行うことを特徴と
している。
このような構成であれば、コンピュータによってプログラムが読み取られ、読み取られ
たプログラムに従ってコンピュータが処理を実行すると、形態８の印刷装置と同等の作用
及び効果が得られる。
【００９２】
〔形態６２〕  更に、形態６２の印刷用データ生成プログラムは、形態５４乃至６０の
いずれか１の印刷用データ生成プログラムにおいて、
前記強調化処理ステップにおいては、各文字色に対する濃度変更内容に係る情報を含む
濃度変更情報に基づき、前記濃度情報の変更処理を行うことを特徴としている。
このような構成であれば、コンピュータによってプログラムが読み取られ、読み取られ
たプログラムに従ってコンピュータが処理を実行すると、形態９の印刷装置と同等の作用
及び効果が得られる。
【００９３】
〔形態６３〕  更に、形態６３の印刷用データ生成プログラムは、形態６０乃至６２の
いずれか１の印刷用データ生成プログラムにおいて、
濃度変更内容のそれぞれ異なる複数種類の濃度変更情報から濃度情報の変更処理に用い
る濃度変更情報を選択する濃度変更情報選択ステップをコンピュータに実行させるのに使
用するプログラムを含み、
前記濃度変更情報選択ステップで選択された濃度変更情報に基づき、前記文字データの
濃度情報の変更処理を行うことを特徴としている。
このような構成であれば、コンピュータによってプログラムが読み取られ、読み取られ
たプログラムに従ってコンピュータが処理を実行すると、形態１０の印刷装置と同等の作
用及び効果が得られる。
【００９４】
〔形態６４〕  更に、形態６４の印刷用データ生成プログラムは、形態６０乃至６３の
いずれか１の印刷用データ生成プログラムにおいて、
前記濃度変更内容を指定する濃度変更内容指定ステップをコンピュータに実行させるの
に使用するプログラムを含み、
前記強調化処理ステップにおいては、前記濃度変更内容指定ステップで指定された濃度
変更内容に基づき、前記強調化処理を施すことを特徴としている。
このような構成であれば、コンピュータによってプログラムが読み取られ、読み取られ
たプログラムに従ってコンピュータが処理を実行すると、形態１１の印刷装置と同等の作
用及び効果が得られる。
【００９５】
〔形態６５〕  更に、形態６５の印刷用データ生成プログラムは、形態５４乃至６４の
いずれか１の印刷用データ生成プログラムにおいて、
前記文書データが画像データを含むか否かを判定する第１判定ステップと、
前記第１判定ステップで画像データを含むと判定されたときに、当該画像データに文字
画像データが含まれるか否かを判定する第２判定ステップとからなる処理をコンピュータ
に実行させるのに使用するプログラムを含み、
前記第２判定ステップで文字画像データを含むと判定したときに、当該文字画像データ
に対して、前記使用頻度算出ステップ、前記濃度情報変更ステップ及び前記強調化処理ス
テップの各処理を行うことを特徴としている。
【００９６】
このような構成であれば、コンピュータによってプログラムが読み取られ、読み取られ
たプログラムに従ってコンピュータが処理を実行すると、形態１２の印刷装置と同等の作
用及び効果が得られる。
【００９７】
〔形態６６〕  更に、形態６６の印刷用データ生成プログラムは、形態６５の印刷用デ
ータ生成プログラムにおいて、
前記濃度情報変更ステップにおいては、前記第２判定ステップで文字画像データを含む
と判定したときに、前記画像データにおける前記文字画像データ以外の画像データに対し
て、当該画像データの画像の印刷濃度が一様に低減するように前記画像データの濃度情報
を変更することを特徴としている。
このような構成であれば、コンピュータによってプログラムが読み取られ、読み取られ
たプログラムに従ってコンピュータが処理を実行すると、形態１３の印刷装置と同等の作
用及び効果が得られる。
【００９８】
〔形態６７〕  一方、上記目的を達成するために、形態６７のコンピュータ読み取り可
能な記憶媒体は、形態５４乃至６６のいずれか１の印刷用データ生成プログラムの記憶さ
れたコンピュータ読み取り可能な記憶媒体である。
これによって、ＣＤ−ＲＯＭやＤＶＤ−ＲＯＭ、ＦＤ、半導体チップなどのコンピュー
タ読み取り可能な記憶媒体を介して前記形態５４乃至６６のいずれか１の印刷用データ生
成プログラムをユーザなどの需用者に対して容易かつ確実に提供することができる。
【００９９】
〔形態６８〕  一方、上記目的を達成するために、形態６８の印刷用データ生成方法は
、
文書データの示す文書を印刷するときに使用する着色材料の使用量を制御して、当該着
色材料の使用量を節約することができる印刷装置において使用する印刷用データを生成す
る印刷用データ生成方法であって、
前記文書中の文字のうち、使用頻度の最も高い文字色の文字が通常の印刷濃度よりも低
い印刷濃度で印刷されるように、前記使用頻度の最も高い文字色の文字データの濃度情報
を変更する濃度情報変更ステップと、
前記使用頻度の高さが二番目以降の文字色の文字の少なくとも一部が強調されて印刷さ
れるように、前記文書データにおける前記一部の文字データに対して強調化処理を施す強
調化処理ステップと、
前記濃度情報変更ステップで濃度情報が変更され、且つ前記強調化処理ステップで強調
化処理の施された文書データに基づき印刷用データを生成する印刷用データ生成ステップ
と、を含むことを特徴としている。
これによって、形態１の印刷装置と同等の効果が得られる。
【０１００】
〔形態６９〕  更に、形態６８の印刷用データ生成方法は、形態６７の印刷用データ生
成方法において、
前記強調化処理は、前記使用頻度の高さが二番目以降の文字の少なくとも一部が、通常
の印刷濃度よりも高い印刷濃度で印刷されるように前記一部の文字データの濃度情報を変
更する処理であることを特徴としている。
これによって、形態２の印刷装置と同等の効果が得られる。
【０１０１】
〔形態７０〕  更に、形態７０の印刷用データ生成方法は、形態６９の印刷用データ生
成方法において、
前記強調化処理は、前記使用頻度が二番目に高い文字色の文字が最も印刷濃度が高くな
るように、当該二番目の文字色の文字データの濃度情報を変更することを特徴としている
。
これによって、形態３の印刷装置と同等の効果が得られる。
【０１０２】
〔形態７１〕  更に、形態７１の印刷用データ生成方法は、形態６８乃至７０のいずれ
か１の印刷用データ生成方法において、
前記強調化処理は、前記使用頻度の高さが二番目以降の文字の少なくとも一部の文字デ
ータに対して、当該一部の文字に文字飾りを付与するデータを追加する処理であることを
特徴としている。
これによって、形態４の印刷装置と同等の効果が得られる。
【０１０３】
〔形態７２〕  更に、形態７２の印刷用データ生成方法は、形態６８乃至７１のいずれ
か１の印刷用データ生成方法において、
前記強調化処理ステップにおいては、前記文書をモノクロで印刷するときに、前記強調
化処理を施すことを特徴としている。
これによって、形態５の印刷装置と同等の効果が得られる。
【０１０４】
〔形態７３〕  更に、形態７３の印刷用データ生成方法は、形態６８乃至７２のいずれ
か１の印刷用データ生成方法において、
前記濃度情報変更ステップにおいては、前記使用頻度の最も高い文字色の文字のうち文
字飾りの付与された文字及び特殊設定の文字の少なくとも一方の文字データの濃度情報を
、通常の印刷濃度よりも高くする変更を行うか、又は通常のままとすることを特徴として
いる。
これによって、形態６の印刷装置と同等の効果が得られる。
【０１０５】
〔形態７４〕  更に、形態７４の印刷用データ生成方法は、形態７３の印刷用データ生
成方法において、
前記印刷濃度変更ステップにおいては、文字飾りの種類及び特殊設定の種類の少なくと
も一方に対する濃度変更内容に係る情報を含む濃度変更情報に基づき、前記濃度情報の変
更処理を行うことを特徴としている。
これによって、形態７の印刷装置と同等の効果が得られる。
【０１０６】
〔形態７５〕  更に、形態７５の印刷用データ生成方法は、形態６８乃至７４のいずれ
か１の印刷用データ生成方法において、
前記強調化処理ステップにおいては、前記使用頻度の高さの各順位に対する濃度変更内
容に係る情報を含む濃度変更情報に基づき、前記濃度情報の変更処理を行うことを特徴と
している。
これによって、形態８の印刷装置と同等の効果が得られる。
【０１０７】
〔形態７６〕  更に、形態７６の印刷用データ生成方法は、形態６８乃至７４のいずれ
か１の印刷用データ生成方法において、
前記強調化処理ステップにおいては、各文字色に対する濃度変更内容に係る情報を含む
濃度変更情報に基づき、前記濃度情報の変更処理を行うことを特徴としている。
これによって、形態９の印刷装置と同等の効果が得られる。
【０１０８】
〔形態７７〕  更に、形態７７の印刷用データ生成方法は、形態６４乃至７６のいずれ
か１の印刷用データ生成方法において、
濃度変更内容のそれぞれ異なる複数種類の濃度変更情報から濃度情報の変更処理に用い
る濃度変更情報を選択する濃度変更情報選択ステップを含み、
前記濃度変更情報選択ステップで選択された濃度変更情報に基づき、前記文字データの
濃度情報の変更処理を行うことを特徴としている。
これによって、形態１０の印刷装置と同等の効果が得られる。
【０１０９】
〔形態７８〕  更に、形態７８の印刷用データ生成方法は、形態６４乃至７７のいずれ
か１の印刷用データ生成方法において、
前記濃度変更内容を指定する濃度変更内容指定ステップを含み、
前記強調化処理ステップにおいては、前記濃度変更内容指定ステップで指定された濃度
変更内容に基づき、前記強調化処理を施すことを特徴としている。
これによって、形態１１の印刷装置と同等の効果が得られる。
【０１１０】
〔形態７９〕  更に、形態７９の印刷用データ生成方法は、形態６８乃至７８のいずれ
か１の印刷用データ生成方法において、
前記文書データが画像データを含むか否かを判定する第１判定ステップと、
前記第１判定ステップで画像データを含むと判定されたときに、当該画像データに文字
画像データが含まれるか否かを判定する第２判定ステップとを含み、
前記第２判定ステップで文字画像データを含むと判定したときに、当該文字画像データ
に対して、前記使用頻度算出ステップ、前記濃度情報変更ステップ及び前記強調化処理ス
テップの各処理を行うことを特徴としている。
これによって、形態１２の印刷装置と同等の効果が得られる。
【０１１１】
〔形態８０〕  更に、形態８０の印刷用データ生成方法は、形態７９の印刷用データ生
成方法において、
前記濃度情報変更ステップにおいては、前記第２判定ステップで文字画像データを含む
と判定したときに、前記画像データにおける前記文字画像データ以外の画像データに対し
て、当該画像データの画像の印刷濃度が一様に低減するように前記画像データの濃度情報
を変更することを特徴としている。
これによって、形態１３の印刷装置と同等の効果が得られる。
【発明を実施するための最良の形態】
【０１１２】
以下、本発明の実施の形態を図面に基づき説明する。図１〜図１４は、本発明に係る印
刷装置、印刷装置制御プログラム及び印刷装置制御方法、並びに印刷用データ生成装置、
印刷用データ生成プログラム及び印刷用データ生成方法の実施の形態を示す図である。
まず、本発明に係る印刷装置の構成を図１に基づき説明する。図１は、本発明に係る印
刷装置１００の構成を示すブロック図である。
【０１１３】
印刷装置１００は、モノクロ印刷を行うと共に着色材料（例えば、インク、トナーなど
）の使用量を節約した印刷が可能なプリンタであり、図１に示すように、印刷指示に応じ
て外部装置や記憶装置等から画像データや文書データなどの印刷対象データを取得するデ
ータ取得部１０と、印刷対象データが文書データであるか否かを解析すると共に、文書デ
ータの構成内容を解析するデータ解析部１２と、データ解析部１２の解析結果及び濃度変
更情報記憶部１６（後述）に記憶された濃度変更情報に基づき、着色材料の使用量が通常
印刷時よりも節約され且つ文書中の強調文字が読み難くならないように文書データを加工
する文書データ加工部１４と、文書データを加工する際の濃度変更内容の情報を含む濃度
変更情報を記憶する濃度変更情報記憶部１６と、ユーザからの指示に応じた濃度変更内容
を指定する濃度変更内容指定部１８と、文書データ以外の印刷対象データ又は加工後の文
書データに基づき印刷用データを生成する印刷用データ生成部２０と、印刷用データに基
づき、不図示の印刷ヘッドを制御して印刷を実行する印刷部２２とを含んだ構成となって
いる。
【０１１４】
データ取得部１０は、文書エディタなどで作成された文書データや、画像エディタなど
で作成された画像データなどの印刷対象データを取得する機能を有し、このようなデータ
を、ＰＣ等の外部装置及び自印刷装置の備える入力装置等からの印刷指示に応じて、ＬＡ
ＮやＷＡＮ等のネットワークを介して外部装置から取得したり、自装置の備える図示しな
いＣＤドライブ、ＤＶＤドライブなどの駆動装置を介してＣＤ−ＲＯＭ、ＤＶＤ−ＲＯＭ
などの記録媒体から取得したり、自装置の備える後述する記憶装置７０から取得したりす
る。
【０１１５】
データ解析部１２は、データ取得部１０で取得した印刷対象データが文書データである
か否かを判断すると共に、印刷対象データが文書データであるときは、その構成内容を解
析して解析結果の情報（以下、解析情報と称す）を生成する機能を有している。具体的に
は、印刷対象データ中に、予め登録された文字データ（フォントデータ）が含まれている
か否かで文書データか否かを判断し、文書データであると判断された場合は、当該文書デ
ータの各文字に使用されている色情報、文字飾り、特殊設定などの構成内容を解析し、こ
れらの解析結果に基づき解析情報を生成する。また、本実施の形態においては、印刷対象
データに含まれる画像データの画像中に文字画像が含まれているか否かも解析し、例えば
、ページ内において、フォントデータを含んでいない場合でも、画像中に文字画像が含ま
れていれば、そのページを文書データと判断する。
【０１１６】
文書データ加工部１４は、着色材料の節約を行う場合に処理を実行するもので、図２に
示すように、濃度変更情報記憶部１６から所定の濃度変更情報を選択する濃度変更情報選
択部１４ａと、当該選択した濃度変更情報及び解析情報に基づき、使用頻度の最も高い色
の文字の印刷濃度を変更する濃度情報変更部１４ｂと、濃度変更情報、強調化処理の設定
モードなどに基づき、処理対象の文字が強調されて印刷されるようにその文字データに対
して強調化処理を施す強調化処理部１４ｃとを含んだ構成となっている。ここで、図２は
、文書データ加工部１４の詳細構成を示すブロック図である。
濃度変更情報選択部１４ａは、濃度変更情報記憶部１６から、ユーザに指示された濃度
変更情報、又は予め指定された強調化処理の設定モードに応じた濃度変更情報などを選択
する機能を有している。
【０１１７】
濃度情報変更部１４ｂは、データ解析部１２からの解析情報に基づき、文字数の最も多
い色の文字データの濃度を、濃度変更情報に指定された濃度に変更する機能を有している
。具体的には、文字数の最も多い色の文字データの濃度を、通常印刷時の濃度よりも低い
濃度へと変更する。本実施の形態において、印刷装置１００は、モノクロ印刷しかできな
いので、濃度情報変更部１４ｂは、文書データがカラーデータである場合で、且つ文字数
の最も多い色が黒色以外であった場合は、色情報を黒へと変更する機能も有している。
強調化処理部１４ｃは、強調化処理の設定モードに応じて、処理対象の文字データに対
して、その文字が強調して印刷されるように強調化処理を施す機能を有している。本実施
の形態において、強調化処理モードには、具体的に以下の４つの処理モードがある。
【０１１８】
モード１：選択した濃度変更情報に基づき、使用頻度が二番目以降の色の文字データを
、濃度変更情報選択部１４ａにおいて選択された濃度変更情報に設定された濃度へと変更
する。
モード２：モード１の処理に加え、使用頻度が最も高い色の文字の中に、文字飾りが付
与された文字、あるいは特殊設定のされた文字があるときに、これらの文字に対してもそ
の文字データの濃度を濃度変更情報選択部１４ａにおいて選択された濃度変更情報に設定
された濃度へと変更する。
【０１１９】
モード３：使用頻度が二番目以降の色の文字に対して、これらの文字が強調されて印刷
されるように、文字飾りの付与、あるいは特殊設定の少なくとも一方を行う。なお、本実
施の形態において、文字飾りの付与及び特殊設定については、文字飾り及び特殊設定をど
のように用いるか（どちらか一方を用いる、両方用いるなど）、文字飾りを用いる場合の
文字飾りの種類、特殊設定を用いる場合の特殊設定の設定内容などについては、ユーザが
予め任意の内容を指定できることとする。
モード４：モード１〜３のいずれかに加え、文書データ中に文字データ以外の画像デー
タが含まれているときに、その画像における文字画像以外の印刷濃度を一様に低下させる
処理を行う。本実施の形態においては、低下する割合が予め設定してあり、例えば、各濃
度を２０％ずつ低下させる。
【０１２０】
図１に戻って、濃度変更情報記憶部１６は、複数種類の濃度変更情報を記憶する機能を
有する。更に、本実施の形態においては、濃度変更内容指定部１８からの指定情報に基づ
き、新たな濃度変更情報を生成して記憶したり、既に記憶されている濃度変更情報の濃度
変更内容を書き換えたりする機能も有している。
ここで、濃度変更情報は、使用頻度の最も高い文字色に対する濃度変更内容が登録され
、且つ使用頻度が二番目以降の文字色の種類毎に濃度変更内容が登録されたデータテーブ
ルや、このテーブルの内容に加え、文字飾りの種類毎及び特殊設定の種類毎に濃度変更内
容が登録されたデータテーブル、使用頻度の最も高い文字色に対する濃度変更内容が登録
され、且つ使用頻度が二番目以降の文字色の種類毎の文字飾りの種類及び特殊設定の種類
が登録されたデータテーブルなどから構成される。
【０１２１】
濃度変更内容指定部１８は、キーボードやマウス等の入力装置を介して、ユーザが任意
の濃度変更内容を指定する機能を有している。本実施の形態においては、前述したように
、濃度変更内容指定部１８で指定した濃度変更内容に基づき、新規の濃度変更情報を生成
したり、既に濃度変更情報記憶部１６に記憶されている濃度変更情報を指定した内容に書
き換えたり、新規の設定を追加したりすることが可能である。
【０１２２】
印刷用データ生成部２０は、データ解析部１２において、文書データ以外（画像のみの
データ）と判断された印刷対象データや、文書データ加工部１４で加工済の文書データか
ら、印刷用データを生成する機能を有している。具体的には、ＲＩＰ（レンダリング）処
理や、プリンタ用のハーフトーン処理などを行い、例えば、印刷対象データの各画素値を
ドットサイズのデータに変換し、当該ドットサイズのデータと、当該ドットの配置位置の
データとを含んで構成される印刷用データを生成する。更に、印刷用データ生成部２０は
、印刷用データの生成前に、印刷対象データの色情報を色変換処理して前記印刷ヘッドの
各インクに対応するＣＭＹＫ（４色の場合）の色情報に変換する機能と、印刷部２２の出
力解像度に合わせて印刷対象データの解像度を変換する機能とを有している。
【０１２３】
印刷部２２は、印刷に用いる媒体（印刷用紙など）又は印刷ヘッド（不図示）の一方、
あるいは双方を移動させながら前記印刷ヘッドに形成されたヘッドユニットの各印字素子
から、例えば、インクをそれぞれドット状に噴射して前記媒体上に多数のドットからなる
所定の画像を形成する（インクジェット方式）。また、印刷部２２は、前述した印刷ヘッ
ドの他に、前記媒体を移動させるための図示しない紙送り機構、前記印刷用データに基づ
いて印刷ヘッドのインクの吐出を制御する図示しない印刷制御機構などから構成されてい
る。
【０１２４】
なお、この印刷装置１００は、前記データ取得部１０、前記データ解析部１２、前記文
書データ加工部１４、前記濃度変更内容指定部１８、前記印刷用データ生成部２０、前記
印刷部２２などにおける上記各機能をソフトウェア上で実現するため、及び上記各機能の
実現に必要なハードウェアを制御するソフトウェアを実行するためのコンピュータシステ
ムを備えている。このコンピュータシステムのハードウェア構成は、図３に示すように、
各種制御や演算処理を担う中央演算処理装置であるＣＰＵ（Central Processing Unit）
６０と、主記憶装置（Main Storage）を構成するＲＡＭ（Random Access Memory）６２と
、読み出し専用の記憶装置であるＲＯＭ（Read Only Memory）６４との間をＰＣＩ（Peri
pheral Component Interconnect）バスやＩＳＡ（Industrial Standard Architecture）
バス等からなる各種内外バス６８で接続すると共に、このバス６８に入出力インターフェ
ース（Ｉ／Ｆ）６６を介して、ＨＤＤ等の外部記憶装置（Secondary Storage）７０や、
印刷部２２やＣＲＴ、ＬＣＤモニター等の出力装置７２、操作パネルやマウス、キーボー
ド、スキャナなどの入力装置７４、および図示しない印刷指示装置などと通信するための
ネットワークケーブルＬなどを接続したものである。
【０１２５】
そして、電源を投入すると、ＲＯＭ６４等に記憶されたＢＩＯＳ等のシステムプログラ
ムが、ＲＯＭ６４に予め記憶された各種専用のコンピュータプログラム、あるいは、ＣＤ
−ＲＯＭやＤＶＤ−ＲＯＭ、フレキシブルディスク（ＦＤ）等の記憶媒体を介して、また
はインターネット等の通信ネットワークを介して記憶装置７０にインストールされた各種
専用のコンピュータプログラムを同じくＲＡＭ６２にロードし、そのＲＡＭ６２にロード
されたプログラムに記述された命令に従ってＣＰＵ６０が各種リソースを駆使して所定の
制御および演算処理を行うことで前述したような各機能をソフトウェア上で実現するよう
になっている。
【０１２６】
更に、印刷装置１００は、ＣＰＵ６０によって、ＲＯＭ６４の所定領域に格納されてい
る所定のプログラムを起動させ、そのプログラムに従って、図４のフローチャートに示す
印刷処理を実行するようになっている。ここで、図４は、印刷装置１００における印刷処
理を示すフローチャートである。
印刷処理は、ＣＰＵ６０によって実行されると、図４に示すように、まず、ステップＳ
１００に移行するようになっている。
【０１２７】
ステップＳ１００では、データ取得部１０において、ネットワークケーブルＬを介して
接続された外部装置からの印刷指示情報が送られてくることにより、あるいは入力装置７
４を介して印刷指示情報が入力されたことにより、印刷指示があったか否かを判定し、印
刷指示があったと判定された場合(Yes)は、ステップＳ１０２に移行し、そうでない場合(
No)は、印刷指示があるまで判定処理を繰り返す。
【０１２８】
ステップＳ１０２に移行した場合は、データ取得部１０において、印刷指示に対応する
印刷対象データを、上記したように、外部装置、ＣＤ−ＲＯＭ、ＤＶＤ−ＲＯＭ等の記録
媒体、ＨＤＤ等の記憶装置７０などから取得する処理を行いステップＳ１０４に移行する
。
ステップＳ１０４では、データ解析部１２において、印刷対象データが文書データであ
るか否かを判断すると共に、文書データである場合は更に各文字データの構成内容を解析
して解析情報を生成しステップＳ１０６に移行する。
【０１２９】
ステップＳ１０６では、データ解析部１２において、ステップＳ１０２で取得した印刷
対象データが文書データである場合(Yes)は、当該文書データ及びその解析情報を文書デ
ータ加工部１４に出力し、一方、文書データでない場合(No)は、取得した印刷対象データ
を印刷用データ生成部２０に出力してステップＳ１１０に移行する。
ステップＳ１０８に移行した場合は、文書データ加工部１４において、データ解析部１
２から入力された文書データ及び解析情報と、濃度変更情報記憶部１６の記憶内容とに基
づき、文書データの加工し、当該加工後の文書データを印刷用データ生成部２０に出力し
てステップＳ１１０に移行する。
【０１３０】
ステップＳ１１０では、印刷用データ生成部２０において、データ解析部１２から入力
された印刷対象データ又は文書データ加工部１４から入力された加工後の文書データから
印刷用データを生成してステップＳ１１２に移行する。
ステップＳ１１２では、印刷用データ生成部２０において、ステップＳ１１０で生成し
た印刷用データを、印刷部２２に出力してステップＳ１１４に移行する。
ステップＳ１１４では、印刷部２２において、印刷用データ生成部２０から入力された
印刷用データに基づき、印刷を実行してステップＳ１００に移行する。
【０１３１】
次に、図５に基づき、ステップＳ１０４の印刷対象データ解析処理の流れを説明する。
ここで、図５は、データ解析部１２の印刷対象データ解析処理を示すフローチャートであ
る。
印刷対象データ解析処理は、ステップＳ１０４で実行されると、図５に示すように、ま
ずステップＳ２００に移行するようになっている。
【０１３２】
ステップＳ２００では、データ解析部１２において、ステップＳ１０２で取得した印刷
対象データに文字データ（登録フォントデータ）が含まれているか否かを判定し、含まれ
ていると判定された場合(Yes)は、ステップＳ２０２に移行し、そうでない場合(No)は、
ステップＳ２１８に移行する。
ステップＳ２０２に移行した場合は、データ解析部１２において、ステップＳ１０２で
取得した印刷対象データに、文字以外の画像データが含まれているか否かを判定し、含ま
れていると判定された場合(Yes)は、ステップＳ２０４に移行し、そうでない場合(No)は
、ステップＳ２０８に移行する。
【０１３３】
ステップＳ２０４に移行した場合は、データ解析部１２において、画像データの画像中
に文字画像が含まれるか否かを判定し、含まれると判定された場合(Yes)は、ステップＳ
２０６に移行し、そうでない場合(No)は、ステップＳ２０８に移行する。例えば、画像デ
ータを所定サイズの複数のブロックに分割し、各ブロック毎にパターンマッチングを行っ
て文字画像が含まれるか否かを判断する。
【０１３４】
ステップＳ２０６に移行した場合は、データ解析部１２において、画像データの画像に
含まれている文字画像の情報（座標情報等）をＲＡＭ６２に記録してステップＳ２０８に
移行する。
ステップＳ２０８では、データ解析部１２において、ステップＳ１０２で取得した印刷
対象データが文書データであると判断し、当該文書データ中に含まれる文字データのパレ
ット情報に基づき、各色毎の文字数を計算してステップＳ２１０に移行する。
【０１３５】
ステップＳ２１０では、データ解析部１２において、ステップＳ２０８の計算結果をＲ
ＡＭ６２に記録してステップＳ２１２に移行する。
ステップＳ２１２では、データ解析部１２において、ステップＳ２０８の計算結果に基
づき、文字数の最も多い文字色の文字データの構成を解析してステップＳ２１４に移行す
る。具体的には、罫線等の文字飾りが付与されているか否か、斜体、太字などの特殊設定
がされているか否か等を解析する。
【０１３６】
ステップＳ２１４では、データ解析部１２において、ステップＳ２１２の解析結果を、
ＲＡＭ６２に記録してステップＳ２１６に移行する。
ステップＳ２１６では、データ解析部１２において、ＲＡＭ６２に記録された各解析結
果、計算結果に基づき解析情報を生成し、一連の処理を終了して元の処理に復帰する。
【０１３７】
一方、ステップＳ２００において、文字データが含まれておらずステップＳ２１８に移
行した場合は、データ解析部１２において、ステップＳ１０２で取得した印刷対象データ
に、文字以外の画像データが含まれているか否かを判定し、含まれていると判定された場
合(Yes)は、ステップＳ２０４に移行し、そうでない場合(No)は、ステップＳ２２０に移
行する。
ステップＳ２２０に移行した場合は、データ解析部１２において、ステップＳ１０２で
取得した印刷対象データを文書データ以外と判断し、一連の処理を終了して元の処理に復
帰する。
【０１３８】
次に、図６に基づき、ステップＳ１０８の文書データ加工処理の流れを説明する。ここ
で、図６は、文書データ加工部１４における文書データ加工処理を示すフローチャートで
ある。
文書データ解析処理は、ステップＳ１０８で実行されると、図６に示すように、まずス
テップＳ３００に移行するようになっている。
ステップＳ３００では、文書データ加工部１４において、文書データ及び解析情報を取
得したか否かを判定し、取得したと判定された場合(Yes)は、ステップＳ３０２に移行し
、そうでない場合(No)は、取得するまで判定処理を繰り返す。
【０１３９】
ステップＳ３０２に移行した場合は、濃度変更情報選択部１４ａにおいて、ユーザから
の指示に応じた濃度変更情報、または強調化処理モードの種類に応じて予め設定された濃
度変更情報を、濃度変更情報記憶部１６から選択して読出し、当該読み出した濃度変更情
報を、濃度情報変更部１４ｂ及び強調化処理部１４ｃにそれぞれ出力してステップＳ３０
４に移行する。つまり、前述したように、濃度変更情報記憶部１６には複数種類の濃度変
更情報を記憶することができるので、予め複数種類の濃度変更情報を記憶しておき、設定
された強調化処理モードに応じてこれらの中からユーザが指示したものをその都度選択す
るようにしても良いし、各強調化処理モード毎に予め１つの濃度変更情報を設定しておき
、現在設定された強調化処理モードに対応するものをその都度選択するようにしても良い
。
【０１４０】
ステップＳ３０４では、濃度情報変更部１４ｂ及び強調化処理部１４ｃにおいて、解析
情報及び濃度変更情報に基づき、使用頻度の最も高い文字色の文字データの濃度情報を変
更すると共に、処理対象の文字データに対して強調化処理モードの種類に応じた強調化処
理を施してステップＳ３０６に移行する。
ステップＳ３０６では、文書データ加工部１４において、濃度情報の変更処理及び強調
か処理の施された加工後の文書データを印刷用データ生成部２０に出力し、一連の処理を
終了して元の処理に復帰する。
【０１４１】
次に、図７〜図１５に基づき、本実施の形態の動作を説明する。
ここで、図７（ａ）〜（ｈ）は、濃度変更情報の一例を示す図である。また、図８は、
ステップＳ３０４の、強調化処理モード１に対応する濃度変更処理及び強調化処理を示す
フローチャートである。また、図９（ａ）は、オリジナルのカラー印刷画像の一例を示す
図であり、（ｂ）は、（ａ）の、従来のモノクロ印刷画像を示す図であり、（ｃ）は、（
ａ）を、図７（ａ）の濃度変更情報に基づき、図８に示す本発明の処理方法を用いてモノ
クロ印刷した場合の印刷画像の一例を示す図であり、（ｄ）は、オリジナルのカラー印刷
画像の（ａ）とは別の一例を示す図であり、（ｅ）は、（ｄ）を、図７（ｃ）の濃度変更
情報に基づき、図８に示す本発明の処理方法を用いてモノクロ印刷した場合の印刷画像の
一例を示す図である。また、図１０は、ステップＳ３０４の、強調化処理モード２に対応
する濃度変更処理及び強調化処理を示すフローチャートである。また、図１１（ａ）は、
オリジナルのカラー印刷画像の一例を示す図であり、（ｂ）は、図１０に示す本発明の処
理方法を用いてモノクロ印刷した場合の印刷画像の一例を示す図である。また、図１２は
、ステップＳ３０４の、強調化処理モード３に対応する濃度変更処理及び強調化処理を示
すフローチャートである。また、図１３（ａ）は、文書データ加工処理前のオリジナルの
カラー印刷画像を示す図であり、（ｂ）は、図１２に示す本発明の処理方法を用いてモノ
クロ印刷した場合の印刷画像の一例を示す図である。また、図１４は、画像中に文字画像
があるオリジナルのカラー印刷画像の一例を示す図である。
【０１４２】
まず、印刷装置１００のデータ取得部１０において、例えば、印刷指示情報に対応する
、ＲＧＢ（８ビット）の色情報を有した印刷対象データを、印刷指示情報の送信元である
外部装置等から取得すると（ステップＳ１０２）、当該データ取得部１０は、前記取得し
た印刷対象データを、データ解析部１２に出力する（ステップＳ１０４）。
データ解析部１２は、印刷対象データに文字データ（登録フォントデータ）が含まれて
いるか否かを解析することにより、取得した印刷対象データが文書データであるか否かを
判断する（ステップＳ２００）。ここでは、取得した印刷対象データが文書データであり
（ステップＳ２００の「Ｙｅｓ」の分岐）、画像データを含んでいないとする（ステップ
Ｓ２０２の「Ｎｏ」の分岐）。
【０１４３】
データ解析部１２は、文書データ中の各文字データのパレットデータ（色情報）に基づ
き、各色毎の文字数を計算し（ステップＳ２０８）、その計算結果をＲＡＭ６２に記録す
る（ステップＳ２１０）。例えば、図９（ａ）に示す印刷対象データ（オリジナルの文書
データ）の例では、黒色の文字の文字数が「１０８」で、赤色の文字（図では、薄い灰色
）の文字数が「２７」と計算される。次に、データ解析部１２は、文字数の最も多い文字
データを解析し、文字飾りが付与されているか否か、特殊設定がされているか否かを判断
する（ステップＳ２１２）。例えば、図９（ａ）に示す印刷対象データの場合は、黒色の
文字が最も多いので、黒文字のデータを解析する。この場合は、文字飾りもなく、特殊設
定もされていないので、その旨を示す情報を解析結果の情報としてＲＡＭ６２に記録する
（ステップＳ２１４）。そして、ＲＡＭ６２に記録された、各文字色毎の文字数の情報、
及び最も多い文字色の文字の構成情報とに基づき、これらの情報を含む解析情報を生成し
（ステップＳ２１６）、当該生成した解析情報及びこれに対応する文書データを、文書デ
ータ加工部１４に出力する（ステップＳ１０６）。
【０１４４】
以下、図８及び図９に基づき、強調化処理モードとして上記したモード１が選択された
場合の動作を説明する。
文書データ加工部１４は、データ解析部１２から、解析情報及び文書データを取得する
と（ステップＳ３００の「Ｙｅｓ」の分岐）、濃度変更情報選択部１４ａにおいて、濃度
変更情報の選択設定に基づき、濃度変更情報記憶部１６に記憶された複数種類の濃度変更
情報の中から強調化処理モード１に対応する濃度変更情報を選択し、当該選択した濃度変
更情報を濃度情報変更部１４ｂ及び強調化処理部１４ｃにそれぞれ出力する（ステップＳ
３０２）。ここで、濃度変更情報記憶部１６には、図７（ａ）〜（ｈ）に示すように、各
強調化処理モードに対応した濃度変更情報が複数種類記憶されている。なお、ここでは、
選択可能な濃度変更情報を出力装置７２の一つである表示装置に表示し、その表示画面か
らユーザが任意の濃度変更情報を入力装置７４（マウスやキーボード等）を介して指定で
きることとする。つまり、濃度変更情報選択部１４ａは、指定された濃度変更情報を、濃
度変更情報記憶部１６から選択することになる。なお、ユーザの選択は、１枚ごとや印刷
対象ごとに行っても良いし、基本的に選択されたモードにて動作を行い、必要に応じてユ
ーザが選択内容を変更できるようにしておいても良い。
【０１４５】
ここでは、図７（ａ）に示す、各文字色毎に濃度割当てが登録された濃度変更情報が選
択されたとする。また、入力された文書データは、図９（ａ）に示す印刷画像の文書デー
タとし、解析情報もこの文書データに対して解析した上記の内容のものとする。
一方、濃度情報変更部１４ｂは、濃度変更情報、解析情報及び文書データが入力される
と、図８のフローチャートに示す濃度変更処理及び強調化処理を実行する（ステップＳ３
０４）。濃度変更処理及び強調化処理が実行されると、図８に示すように、まず、ステッ
プＳ４００に移行して、入力された文書データから文字データを選択する。文字データの
選択は、例えば、図９（ａ）に示す印刷画像に対応するオリジナルの文書データであれば
、左上の「ＦＰＧＡデバイス・・・」の「Ｆ」から各ライン毎に左から右へと一文字ずつ
選択する。
【０１４６】
そして、ステップＳ４０２に移行し、選択した文字の色情報と、解析情報とから、選択
文字が使用頻度の最も高い文字か否かを判定する。例えば、選択文字が前記「Ｆ」であれ
ば、この文字は黒色であり、前述した解析情報から使用頻度が最も高いことが解るのでス
テップＳ４０４に移行する。一方、例えば、選択文字が「書き換え可能なＡＳＩＣ」の「
書」であれば、この文字は赤色であり、前述した解析情報から使用頻度は二番目と解るの
で、当該選択文字データを、強調化処理部１４ｃに出力してステップＳ４１２に移行する
。
【０１４７】
選択文字が使用頻度の最も高い色の文字であり、ステップＳ４０４に移行した場合は、
濃度情報変更部１４ｂにおいて、選択文字が黒文字か否かを判定し、黒文字であるならば
（Yes)、ステップＳ４０６に移行する。一方、選択文字が黒文字でないならば（No)、ス
テップＳ４１０に移行し黒文字以外のデータを、濃度をそのままに黒文字のデータに色変
換してからステップＳ４０６に移行する。ここで、ステップＳ４０４，Ｓ４１０の判定処
理及び色変換処理は、モノクロ印刷を行う場合の処理であり、カラー印刷を行う場合は不
要となる。また、図９（ａ）の例では、使用頻度の最も高い文字色が黒色であるので、こ
の場合は選択文字が黒色となり、色変換処理は行われないことになる。
【０１４８】
ステップＳ４０６に移行した場合は、濃度情報変更部１４ｂにおいて、濃度変更情報選
択部１４ａで選択した濃度変更情報に基づき、選択文字データの濃度を変更してステップ
Ｓ４０８に移行する。ここでは、図７（ａ）の濃度変更情報に基づき濃度を変更すること
になるが、図７（ａ）の例では、トップ色（使用頻度が最も高い文字色）に対して割当濃
度が「濃度／２」となっている。これは、選択文字データの示す濃度を「１／２の濃度」
に変更（低減）するという意味である。なお、図９（ａ）に示す印刷画像に対応するオリ
ジナルの文書データにおいて、各黒文字の濃度は「２５５」であるとする。つまり、選択
文字である黒文字の濃度「２５５」を「１２８」（濃度は８ビット（０〜２５５）なので
「ここでは、（２５５＋１）／２＝１２８」とする）に低減することになる。なお、図７
（ｂ）に示す濃度変更情報は、着色材料の節約を重視した内容となっており、この濃度変
更情報が選択された場合は、選択文字である黒文字の濃度「２５５」を「６４」（（２５
５＋１）／４）に低減することになる。
【０１４９】
一方、ステップＳ４１２に移行した場合は、強調化処理部１４ｃにおいて、選択文字が
黒文字か否かを判定し、黒文字であるならば（Yes)、ステップＳ４１４に移行し、そうで
ないならば（No)、ステップＳ４１６に移行する。ステップＳ４１６に移行した場合は、
選択文字である黒文字以外のデータを、濃度をそのままに黒文字のデータに色変換してか
らステップＳ４１４に移行する。なお、図９（ａ）の例では、黒文字と赤文字しかなく且
つ黒文字が最も使用頻度が高いので、ここでは、赤文字が必ず選択文字となるので色変換
が行われることになる。但し、赤文字の使用頻度が最も高い文書データの場合などは、黒
文字が選択文字となる可能性もあり、この場合は、ステップＳ４１６を介さずに、ステッ
プＳ４１４に移行する。
【０１５０】
ステップＳ４１４では、強調化処理部１４ｃにおいて、濃度変更情報選択部１４ａで選
択した濃度変更情報に基づき、選択文字データに対して強調化処理を施す。図７（ａ）の
濃度変更情報の場合は、赤色に対して割当濃度が「２５５」となっているので、選択文字
データの濃度を「２５５」に変更してステップＳ４０８に移行する。なお、図９（ａ）に
示す印刷画像に対応するオリジナルの文書データにおいて、各赤文字の濃度は「１２８」
であるとする。従って、赤文字の部分については、濃度「１２８」を「２５５」（倍）に
増加変更することになる。
【０１５１】
ステップＳ４０８に移行した場合は、文書データ中の全ての文字データを選択したか否
かを判定する。例えば、上記ステップＳ４００〜ステップＳ４１６の処理を繰り返し、図
９（ａ）の印刷画像における、最終ラインの「されつづける場合もある。」の「。」が選
択され、濃度変更処理が完了している場合は、全ての文字データが選択されたことになる
ので、一連の処理を終了して元の処理に復帰する。一方、最後の文字データが選択されて
いない場合は、ステップＳ４００に移行して、新たな文字データを選択し、上記ステップ
Ｓ４０２以降の処理を引き続き行う。
【０１５２】
そして、全ての文字データが選択され濃度変更処理が完了している場合は、加工後の文
書データが、印刷用データ生成部２０に入力される。印刷用データ生成部２０は、この入
力された加工後の文書データに対して、色変換処理、解像度変換処理、ＲＩＰ（レンダリ
ング）処理、及びハーフトーン処理を行って印刷用データを生成し（ステップＳ１１０）
、当該生成した印刷用データを印刷部２２に出力する（ステップＳ１１２）。一方、印刷
部２２は、印刷用データ生成部２０から印刷用データが入力されると、この入力された印
刷用データに基づき印刷を実行する（ステップＳ１１４）。
【０１５３】
この印刷結果は、図９（ｃ）に示すように、文書データにおける黒文字部分が全て半分
の濃度に変更されているためその印刷濃度が薄くなっており、一方、文書データにおける
赤文字部分の濃度は、全て倍の濃度に変更されているためその印刷濃度は黒文字よりも高
くなっており、赤文字部分が濃く印刷され読みやすい状態となっている。また、文書中の
大部分を占める黒文字の濃度が半減されて印刷されていることから、図９（ｂ）に示すよ
うに、図９（ａ）の印刷画像に対応するオリジナルの文書データを従来の印刷装置で単純
にモノクロ印刷した場合と比較して、着色材料の使用量は大幅に削減される。また、図９
（ｂ）を見ると解るように、従来のモノクロ印刷においては、赤文字部分が薄く印刷され
ていて読み難くなっているが、本発明の図９（ｂ）印刷結果においては、強調化処理によ
って赤文字が通常よりも濃く印刷され、且つ通常よりも薄く印刷された黒文字との濃度差
からコントラストが高くなり読みやすくなっている。
【０１５４】
次に、強調化処理モードとして上記したモード１が選択され且つ濃度変更情報選択部１
４ａにおいて、図７（ｃ）の濃度変更情報が選択された場合について説明する。ここで、
図７（ｃ）に示す濃度変更情報は、文字色の使用頻度の順位に対して濃度変更内容が設定
されたデータテーブルである。
ここでは、図９（ｄ）に示す印刷画像に対応するオリジナルの文書データに対して印刷
指示があったものとする。図９（ｄ）の例では、印刷画像中の「ＦＰＧＡデバイス」の文
字が黒文字となっており、「書き換え可能なＡＳＩＣ」、「初期ロット」、及び「バージ
ョンアップが可能」の文字が赤文字となっており、これら以外の文字が全て青文字となっ
ていることとする。また、図９（ｄ）に示す印刷画像に対応するオリジナルの文書データ
における、黒文字の濃度は「２５５」、赤文字の濃度は「１９６」、青文字の濃度は「１
２８」であるとする。
【０１５５】
この場合、上記ステップＳ２００〜Ｓ２２０の解析処理によって、使用頻度の最も高い
文字（使用頻度１位）が青文字「１００」、使用頻度２位が赤文字「２７」、使用頻度３
位が黒文字「８」と解析され、これらの解析結果を含む解析情報が生成される。なお、図
９（ｄ）を見ると解るように、オリジナルの文書データには、その文字データに対して文
字飾りや特殊設定はされておらず、且つ画像データも含まれていないので、これらについ
ても解析情報が生成される。
【０１５６】
図９（ｄ）の例では、選択文字として使用頻度１位の青文字が選択されると（ステップ
Ｓ４０２の「Ｙｅｓ」の分岐）、この選択文字は黒文字では無いので（ステップＳ４０４
の「Ｎｏ」の分岐）、濃度情報変更部１４ｂにおいて、濃度をそのままに青文字データを
黒文字データに色変換する（ステップＳ４１０）。そして、濃度情報変更部１４ｂにおい
て、図７（ｃ）の濃度変更情報に基づき、選択文字データの濃度情報を変更する（ステッ
プＳ４０６）。つまり、図７（ｃ）の例では、使用頻度１位の文字色の割当濃度が「濃度
／２」となっているので、選択文字データである青文字データの濃度「１２８」を「６４
」に変更する。
【０１５７】
一方、選択文字として使用頻度２位又は３位の文字が選択されると（ステップＳ４０２
の「Ｎｏ」の分岐）、この選択文字が赤文字であれば（ステップＳ４１２の「Ｎｏ」の分
岐）、選択文字の文字色を黒に色変換してから（ステップＳ４１６）、選択文字データの
濃度情報を、図７（ｃ）の濃度変更情報に基づき変更し、一方、選択文字が黒文字であれ
ば（ステップＳ４１２の「Ｙｅｓ」の分岐）、そのまま選択文字データの濃度情報を、図
７（ｃ）の濃度変更情報に基づき変更する（ステップＳ４１４）。図７（ｃ）に示すよう
に、使用頻度２位の割当濃度は「２５５」、使用頻度３位の割当濃度は「１９６」となっ
ているので、選択文字が赤文字であった場合は、その濃度「１９６」を「２５５」に変更
し、一方、選択文字が黒文字であった場合は、その濃度「２５５」を「１９６」に変更す
る。
【０１５８】
なお、本実施の形態において、濃度変更情報は、濃度変更内容指定部１８を介して、ユ
ーザが任意の内容に変更したり、新たな濃度変更情報を追加したりすることが可能となっ
ている。例えば、赤文字の濃度を「２５５」ではなく「２３５」にして、更に、着色材料
の使用量を低減したり、使用頻度１位の文字をもう少し読みやすくしたい場合などに、「
濃度／２」を「濃度×２／３」にしたりすることなどが可能である。
【０１５９】
上記のように、図７（ｃ）の濃度変更情報に基づき図９（ｄ）に示す印刷画像に対応す
るオリジナル文書データの濃度情報を変更した加工後の文書データに対する印刷結果は、
図９（ｅ）に示すように、図９（ｄ）の、印刷画像における青文字が最も薄い濃度で印刷
され、赤文字が最も濃い濃度で印刷され、黒文字がこれらの中間の濃度で印刷されたもの
となる。つまり、使用頻度１位の青文字の印刷に用いる着色材料に加え、使用頻度３位の
黒文字の印刷に用いる着色材料の使用量も低減しつつ、使用頻度２位の赤文字が最高濃度
で強調されて印刷されるので、着色材料の使用量が節約されると共に、図９（ｄ）に示す
ように、強調目的で赤色に着色された文字が読みやすい状態で印刷される。
【０１６０】
次に、図１０及び図１１に基づき、強調化処理モードとして上記したモード２が選択さ
れた場合の動作を説明する。
文書データ加工部１４は、データ解析部１２から、解析情報及び文書データを取得する
と（ステップＳ３００の「Ｙｅｓ」の分岐）、濃度変更情報選択部１４ａにおいて、濃度
変更情報の選択設定に基づき、濃度変更情報記憶部１６に記憶された複数種類の濃度変更
情報の中から強調化処理モード２に対応する濃度変更情報を選択し、当該選択した濃度変
更情報を濃度情報変更部１４ｂ及び強調化処理部１４ｃにそれぞれ出力する（ステップＳ
３０２）。
【０１６１】
ここでは、入力された文書データは、図１１（ａ）に示す印刷画像の文書データとする
。図１１（ａ）の例では、文書データ中の全文字が黒文字となっているので、黒文字が使
用頻度１位と算出（解析）される。また、文字の中に、文字飾りが付与されている文字が
あり、更に、文書データ中に画像データは含まれないと解析される。これらの情報を含む
解析情報と、設定された強調化処理モードとから、濃度変更情報として、図７（ａ）〜（
ｄ）及び図７（ｅ）に示す濃度変更情報が選択できるので、これらの情報が表示装置に表
示される。従って、これら表示された濃度変更情報の中からユーザに指定された濃度変更
情報を、濃度変更情報選択部１４ａにおいて選択する。ここでは、図７（ａ）に示す、各
文字色毎に濃度割当てが登録された濃度変更情報と、図７（ｅ）に示す、各文字飾りの種
類に対して濃度割当が登録された濃度変更情報とが選択されたこととする。なお、強調化
処理モード２を選択した場合は、図７（ａ）〜（ｄ）のいずれかと、図７（ｅ）及び（ｆ
）のいずれかとの２つの濃度変更情報を選択する必要がある。また、図１１（ａ）に示す
印刷画像の文書データに含まれる黒文字は全て濃度「２５５」であるとする。
【０１６２】
一方、濃度情報変更部１４ｂは、濃度変更情報、解析情報及び文書データが入力される
と、図１０のフローチャートに示す濃度変更処理及び強調化処理を実行する（ステップＳ
３０４）。濃度変更処理及び強調化処理が実行されると、図１０に示すように、まず、ス
テップＳ５００に移行して、入力された文書データから文字データを選択する。
次に、ステップＳ５０２に移行し、選択した文字データの色情報と、解析情報とから、
選択文字データの文字色が使用頻度の最も高い文字色か否かを判定する。例えば、選択文
字データの文字色が使用頻度が最も高い文字色であればステップＳ５０４に移行し、選択
文字データの文字色が、使用頻度が二番目以降に高い文字色であれば、選択文字データを
強調化処理部１４ｃに出力してステップＳ５１６に移行する。
【０１６３】
選択文字データの文字色が使用頻度の最も高い文字色であり、ステップＳ５０４に移行
した場合は、濃度情報変更部１４ｂにおいて、選択文字データの文字が黒文字か否かを判
定し、黒文字であるならば（Yes)、ステップＳ５０６に移行する。一方、選択文字データ
の文字が黒文字でないならば（No)、ステップＳ５１４に移行し黒文字以外の文字データ
を、濃度をそのままに黒文字の文字データに色変換してからステップＳ５０６に移行する
。
【０１６４】
ステップＳ５０６に移行した場合は、濃度情報変更部１４ｂにおいて、解析情報に基づ
き、選択文字データの文字に対して文字飾りが付与又は特殊設定がされているか否かを判
定する。例えば、図１１（ａ）の印刷画像における、「ＦＰＧＡデバイス」の文字列に対
しては、文字飾りの一つである囲み線が付与されているので、例えば、この文字列のいず
れかの文字の文字データが選択されている場合は、文字データには文字飾りが付与されて
いると判定され（ステップＳ５０６の「Ｙｅｓ」の分岐）、選択文字データを強調化処理
部１４ｃに出力してステップＳ５０８に移行する。一方、例えば、図１１（ａ）の印刷画
像における、「低価格化も進み、」の文字列のいずれかの文字の文字データが選択されて
いる場合は、これらの文字にはいずれも文字飾りが付与されておらず、且つ特殊設定もさ
れていないので（ステップＳ５０６の「Ｎｏ」の分岐）、ステップＳ５１０に移行する。
【０１６５】
ステップＳ５０８に移行した場合は、選択文字データは文字飾りが付与又は特殊設定が
されているので、濃度変更情報選択部１４ａにおいて選択した濃度変更情報（図７（ｅ）
又は（ｆ））に基づき、選択文字データの濃度情報を変更する。ここでは、前述したよう
に、例えば、文字飾りの一つである囲み線で囲まれた文字（「ＦＰＧＡデバイス」の文字
列のいずれかの文字）が選択されたとし、強調化処理部１４ｃは、前記選択した図７（ｅ
）に示す濃度変更情報に基づき、選択文字データの濃度情報を変更する。つまり、選択文
字データの濃度「２５５」を、図７（ｅ）に示す濃度変更情報における「□」に対して設
定された濃度割当「１９６」に変更して、ステップＳ５１８に移行する。
【０１６６】
また、文字飾りの一つである下線の付与された文字（例えば、図１１（ａ）中の「書き
換え可能なＡＳＩＣ」の文字列のいずれかの文字）が選択された場合は、選択文字データ
の濃度「２５５」を、図７（ｅ）に示す濃度変更情報における「下線」に対して設定され
た濃度割当「２５５」に変更して、ステップＳ５１８に移行する。ここでは、選択文字デ
ータの濃度が、元々「２５５」であるので、そのまま変更しないことになる。
【０１６７】
一方、ステップＳ５１０に移行した場合は、選択文字データは文字飾りが付与又は特殊
設定がされていないので、濃度変更情報選択部１４ａにおいて選択した濃度変更情報（図
７（ａ）〜（ｄ）のいずれか）に基づき、選択文字データの濃度情報を変更する。ここで
は、前述したように、文字飾りの付与もなく、特殊設定もされていない文字（「低価格化
も進み、」の文字列のいずれかの文字）が選択されたとし、濃度情報変更部１４ｂは、前
記選択した図７（ａ）に示す濃度変更情報に基づき、選択文字データの濃度情報を変更す
る。つまり、選択文字データの濃度「２５５」を、図７（ａ）に示す濃度変更情報におけ
る「トップ色」に対して設定された濃度割当「濃度／２」に変更して、ステップＳ５１８
に移行する。この場合は、上記強調化処理モード１と同様に、選択文字データの濃度「２
５５」は、「１２８」（半分）に変更される。
【０１６８】
ステップＳ５１２に移行した場合は、文書データ中の全ての文字データを選択したか否
かを判定する。そして、全ての文字データが選択されたと判定された場合は、一連の処理
を終了して元の処理に復帰する。一方、最後の文字データが選択されていない場合は、ス
テップＳ５００に移行して、新たな文字データを選択し、上記ステップＳ５０２以降の処
理を引き続き行う。
また、ステップＳ５１６〜ステップＳ５２０の処理は、上記図８の強調化処理モード１
に対するフローチャートのステップＳ４１２〜Ｓ４１６の処理と同様となるので説明を省
略する。
【０１６９】
上記のように、図７（ａ）及び図７（ｅ）の濃度変更情報に基づき図１１（ａ）に示す
印刷画像に対応するオリジナル文書データの濃度情報を変更した加工後の文書データに対
する印刷結果は、図１１（ｂ）に示すように、図１１（ａ）の、印刷画像における黒文字
中の文字飾りの付与された文字が最も濃い濃度で印刷され、それ以外の黒文字が通常の濃
度よりも薄い濃度で印刷されたものとなる。つまり、使用頻度１位の黒文字の中に、下線
や囲み線などの文字飾りの付与された文字がある場合は、その黒文字を最高濃度で強調し
て印刷し、それ以外の黒文字に対しては着色材料の使用量を低減するためにインクの使用
量を抑えた印刷を行う。従って、着色材料の使用量を節約しつつ、強調目的で文字飾りの
付与された文字が、図１１（ｂ）に示すように、読みやすい状態で印刷される。
【０１７０】
次に、図１２及び図１３に基づき、強調化処理モードとして上記したモード３が選択さ
れた場合の動作を説明する。
文書データ加工部１４は、データ解析部１２から、解析情報及び文書データを取得する
と（ステップＳ３００の「Ｙｅｓ」の分岐）、濃度変更情報選択部１４ａにおいて、濃度
変更情報の選択設定に基づき、濃度変更情報記憶部１６に記憶された複数種類の濃度変更
情報の中から強調化処理モード３に対応する濃度変更情報を選択し、当該選択した濃度変
更情報を濃度情報変更部１４ｂ及び強調化処理部１４ｃにそれぞれ出力する（ステップＳ
３０２）。
【０１７１】
ここでは、入力された文書データは、図１３（ａ）に示す印刷画像の文書データとする
。図１３（ａ）の例では、図９（ａ）の例と同様に、黒色の文字の文字数が「１０８」で
、赤色の文字（図では、薄い灰色）の文字数が「２７」となっている。また、文字の中に
、文字飾りが付与されている文字は無く、更に、文書データ中に画像データは含まれない
。従って、これらの情報を含む解析情報と、設定された強調化処理モード３とから、濃度
変更情報として、図７（ｇ）及び（ｈ）に示す濃度変更情報が選択できるので、これらの
情報が表示装置に表示される。従って、これら表示された濃度変更情報の中からユーザに
指定された濃度変更情報を、濃度変更情報選択部１４ａにおいて選択する。ここでは、図
７（ｇ）に示す、使用頻度の順位毎に濃度割当及び文字飾りの種類が登録された濃度変更
情報が選択されたこととする。また、図１３（ａ）に示す印刷画像の文書データに含まれ
る黒文字データは全て濃度「２５５」であり、赤文字データは全て濃度「１２８」である
とする。
【０１７２】
一方、濃度情報変更部１４ｂは、濃度変更情報、解析情報及び文書データが入力される
と、図１２のフローチャートに示す濃度変更処理及び強調化処理を実行する（ステップＳ
３０４）。濃度変更処理及び強調化処理が実行されると、図１２に示すように、まず、ス
テップＳ６００に移行して、入力された文書データから文字データを選択する。
次に、ステップＳ６０２に移行し、選択した文字データの色情報と、解析情報とから、
選択文字データの文字色が使用頻度の最も高い文字色か否かを判定する。例えば、選択文
字データの文字色が使用頻度が最も高い文字色であればステップＳ６０４に移行し、選択
文字データの文字色が、使用頻度が二番目以降に高い文字色であれば、選択文字データを
強調化処理部１４ｃに出力してステップＳ６１２に移行する。
【０１７３】
選択文字データの文字色が使用頻度の最も高い文字色であり、ステップＳ６０４に移行
した場合は、濃度情報変更部１４ｂにおいて、選択文字データの文字が黒文字か否かを判
定し、黒文字であるならば（Yes)、ステップＳ６０６に移行する。一方、選択文字データ
の文字が黒文字でないならば（No)、ステップＳ６１０に移行し黒文字以外の文字データ
を、濃度をそのままに黒文字の文字データに色変換してからステップＳ６０６に移行する
。
【０１７４】
ステップＳ６０６に移行した場合は、濃度情報変更部１４ｂにおいて、例えば、図１３
（ａ）の印刷画像における、「ＦＰＧＡデバイス」の文字列は、全て使用頻度１位の黒文
字であるので、例えば、この文字列のいずれかの文字の文字データが選択されたとすると
、濃度変更情報選択部１４ａにおいて選択した濃度変更情報（図７（ｇ））に基づき、選
択文字データ（黒文字データ）の濃度情報を変更する。図７（ｇ）の例では、使用頻度１
位に対して割当濃度「濃度／２」が設定されているので、他の強調化処理モードでも説明
したように、選択文字データ（黒文字データ）の濃度「２５５」を、その１／２の「１２
８」に変更して、ステップＳ６０８に移行する。
【０１７５】
一方、ステップＳ６１２に移行した場合は、強調化処理部１４ｃにおいて、選択文字が
黒文字か否かを判定し、黒文字であるならば（Yes)、ステップＳ６１４に移行し、そうで
ないならば（No)、ステップＳ６１６に移行する。ステップＳ６１６に移行した場合は、
選択文字である黒文字以外のデータを、濃度をそのままに黒文字のデータに色変換してか
らステップＳ６１４に移行する。
【０１７６】
ステップＳ６１４では、強調化処理部１４ｃにおいて、濃度変更情報選択部１４ａで選
択した濃度変更情報に基づき、選択文字データに対して強調化処理を施す。図７（ｇ）の
濃度変更情報の場合は、使用頻度２位に対して割当濃度「無」及び文字飾り「下線」が設
定されているので、選択文字データ（赤文字データ）の濃度「１２８」をそのままに、選
択文字データに対して文字飾り「下線」を付与してステップＳ６０８に移行する。
【０１７７】
ステップＳ６０８に移行した場合は、文書データ中の全ての文字データを選択したか否
かを判定する。そして、全ての文字データが選択されたと判定された場合は、一連の処理
を終了して元の処理に復帰する。一方、最後の文字データが選択されていない場合は、ス
テップＳ６００に移行して、新たな文字データを選択し、上記ステップＳ６０２以降の処
理を引き続き行う。
【０１７８】
上記のように、図７（ｇ）の濃度変更情報に基づき図１３（ａ）に示す印刷画像に対応
するオリジナルの文書データの濃度情報を変更し且つ強調化処理を施した加工後の文書デ
ータに対する印刷結果は、図１３（ｂ）に示すように、図１３（ａ）の、印刷画像におけ
る全黒文字が通常よりも薄い濃度で印刷され、残りの赤文字が通常の濃度で且つ下線（文
字飾り）が付与された状態で印刷される。つまり、使用頻度１位の黒文字に対して着色材
料の使用量が低減され、それ以外の赤文字に対しては下線（文字飾り）が付与されるので
、着色材料の使用量を節約しつつ、強調目的で色づけがされた文字が、図１３（ｂ）に示
すように、読みやすい状態で印刷される。
【０１７９】
次に、図１４に基づき、強調化処理モードとして上記したモード４が選択された場合の
動作を説明する。このモードは、上記強調化処理モード１〜３と併用されるモードであり
、文書データ中に文字（フォントデータ）以外の画像データが含まれている場合に機能す
るモードである。
【０１８０】
つまり、データ取得部１０において、図１４に示すような文書データを取得すると（ス
テップＳ１００）、データ解析部１２は、まず、印刷対象データに文字データ（登録フォ
ントデータ）が含まれているか否かを解析することにより、取得した印刷対象データが文
書データであるか否かを判断する（ステップＳ２００）。ここでは、図１４に示す印刷画
像３００中の文字３００ａに示すように、印刷画像中に文字が含まれているので、この文
字に対応する文字データ（フォントデータ）を検出することで、取得した印刷対象データ
は文書データであると判断する（ステップＳ２００の「Ｙｅｓ」の分岐）。更に、この文
書データ中に画像データを含むか否かを判断する（ステップＳ２０２）。ここでは、図１
４に示す印刷画像３００中の画像３００ｂに示すように印刷結果に画像を含んでいるので
、この画像に対応する画像データを検出して、文書データ中に画像データを含んでいると
判断する（ステップＳ２０２の「Ｙｅｓ」の分岐）。画像データを検出した場合は、次に
、画像データ中に文字画像が含まれているか否かを判断する（ステップＳ２０４）。ここ
では、図１４に示す印刷画像３００中の画像３００ｃに示すように画像中に文字画像を含
んでいるので、この文字画像部分を検出して、画像中に文字画像が含まれていると判断す
る。ここで、本実施の形態において、前記文字画像部分の検出は、前述したように、画像
をブロック分割して複数の小ブロック画像に分け、各小ブロック画像毎に、予め用意した
文字画像パターンとパターンマッチングをし、その相関から文字画像が含まれているか否
かを判断する。更に、文字画像を含んでいると判断した場合は、その色情報、文字飾りや
特殊設定の有無などを解析する。
【０１８１】
更に、データ解析部１２は、上記強調化処理モード１〜３と同様に、文書データ中の各
文字データのパレットデータ（色情報）に基づき、各色毎に文字数を計算する（ステップ
Ｓ２０８）。ここでは、図１４の文字３００ａである「本エリアについては、集合を９：
００と設定してスタートします。」に加え、更に、上記パターンマッチングで検出された
文字画像部分である「おしらせ  次回日曜日に開催予定の催しについて、下記の通り決定
しました。」についても上記解析結果に基づき各色毎に文字数を計算する。そして、これ
ら文字データ数及び文字画像数を各色毎に合計した計算結果をＲＡＭ６２に記録する（ス
テップＳ２１０）。例えば、図１４に示す印刷画像の例では、黒色の文字数（フォントデ
ータ数）が「２３」、黒色の文字画像数が「２９」と計算され、これらの合計値「５２」
がＲＡＭ６２に記録される。更に、赤色の文字（図では、薄い灰色）の文字数（フォント
データ数）が「７」、赤色の文字画像数が「５」と計算され、これらの合計値「１２」が
ＲＡＭ６２に記録される。従って、黒色の総文字数が「５２」、赤色の総文字数が「１２
」となるので、黒文字が使用頻度１位となり、赤文字が使用頻度２位となる。
【０１８２】
次に、データ解析部１２は、文字数の最も多い文字データを解析し、文字飾りが付与さ
れているか否か、特殊設定がされているか否かを判断する（ステップＳ２１２）。ここで
は、黒色の文字が最も多いので、黒文字のデータを解析する。この場合は、文字飾りもな
く、特殊設定もされていないので、その旨を示す情報を解析情報としてＲＡＭ６２に記録
する（ステップＳ２１４）。そして、ＲＡＭ６２に記録された、各文字色毎の文字数の情
報、及び最も多い文字色の文字の構成情報とに基づき、これらの情報を含む解析情報を生
成し（ステップＳ２１６）、当該生成した解析情報及びこれに対応する文書データを、文
書データ加工部１４に出力する（ステップＳ１０６）。
【０１８３】
以降の文字データ及び文字画像データに対する濃度変更処理及び強調化処理は、処理対
象が文字データのときは、上記強調化処理モード１〜３のときと同様に、濃度の変更や、
文字飾りの付与、特殊設定を行う。但し、処理対象が文字画像データの場合は、文書デー
タを作成したアプリケーションソフトの機能を利用することができないので、専用のプロ
グラムによって画像自体を加工して、アプリケーションソフトにおける文字飾りの付与や
特殊設定されたものと同等の表示結果が得られるようにする必要がある。
【０１８４】
更に、強調化処理モード４では、文字画像データを除く画像データ部分に対して、一様
に濃度を低下（例えば、濃度／２など）させる処理を実行する。なお、本実施の形態にお
いて、強調化処理モード４を設定しなかった場合において、文書データ中に画像データが
含まれる場合は、当該画像データの濃度を低下せずに印刷するようになっている。
このように、使用頻度１位の文字の濃度低下処理に加え、画像データに対しても濃度低
下処理を行うことが可能であり、これによって、印刷に用いる着色材料の使用量を節約し
た印刷を行うことが可能である。更に、使用頻度２位の赤文字に対して強調化処理を施す
ことが可能であり、図１４の例においては、画像３００ｂ中の「次回日曜日」の部分、及
び文字３００ａ中の「集合を９：００」の部分を、濃度を最高濃度にしたり、文字飾りを
付与したりして強調化して印刷することが可能である。これにより、着色材料の使用量を
節約しつつ、強調すべき文字を読みやすい状態で印刷することができる。
【０１８５】
以上、本実施の形態の印刷装置１００は、文書データ中の使用頻度が最も高い文字につ
いては、これらの印刷濃度を低下させて薄く印刷することが可能である。また、これに加
え、文書データ中の使用頻度が二位以降の文字については、設定した強調化処理モード及
び選択した濃度変更情報に応じて、例えば、使用頻度２位の文字を最も濃く印刷しそれ以
外を薄く印刷したり、使用頻度２位以降の文字に文字飾りを付与したり、特殊設定をした
りするなど、使用頻度が２位以降の文字で、且つ強調目的で色づけされた可能性の高い文
字を、強調して印刷することが可能である。従って、使用頻度の最も高い文字を通常より
も薄い濃度で印刷することから、着色材料の使用量を低減することができ、更に、強調目
的で色づけされている可能性の高い文字に対して上記強調化処理を施すことから、これら
の文字を読みやすい状態で印刷することができる。この強調化処理による効果は、特に、
カラー文書データをモノクロ印刷する場合に顕著で、カラー文書中の強調目的で色づけさ
れている文字がモノクロ印刷によって読み難くなるのを防ぐことが可能となる。
【０１８６】
上記実施の形態において、文書データ加工部１４の濃度情報変更部１４ｂは、形態１、
６、１２、１３、４１、４６、５２及び５３のいずれか１の濃度情報変更手段に対応し、
文書データ加工部１４の強調化処理部１４ｃは、形態１、５、８、９、１１、１２、４１
、４５、４８、５１及び５２のいずれか１の強調化処理手段に対応する。
また、上記実施の形態において、文書データ加工部１４の濃度変更情報選択部１４ａは
、形態１０又は５０の濃度変更情報選択手段に対応し、濃度変更内容指定部１８は、形態
１１又は５１の濃度変更内容指定手段に対応する。
【０１８７】
また、上記実施の形態において、データ解析部１２における、印刷対象データ中に画像
データがあるか否かを判断（判定）する処理は、形態１２又は５２の第１判定手段に対応
し、データ解析部１２における、画像データ中に文字画像データが含まれるか否かを判断
（判定）する処理は、形態１２、１３、５２及び５３のいずれか１の第２判定手段に対応
する。
また、上記実施の形態において、印刷用データ生成部２０は、形態１又は４１の印刷用
データ生成手段に対応し、印刷部２２は、形態１の印刷手段に対応する。
【０１８８】
また、上記実施の形態において、ステップＳ１０８における濃度情報を変更する処理（
ステップＳ４０６，Ｓ５０８，Ｓ６０６）は、形態１４、１９、２５、２６、２８、３３
、３９、４０、５４、５９、６５、６６、６８、７３、７９及び８０のいずれか１の濃度
情報変更ステップに対応し、ステップＳ１０８における強調化処理モード１〜４に基づく
強調化処理は（ステップＳ４１４，Ｓ５１８，Ｓ６１２）、形態１４、１８、２１、２２
、２４、２５、２８、３２、３５、３６、３８、３９、４９、５４、５８、６１、６２、
６４、６５、６８、７２、７５、７６、７８及び７９のいずれか１の強調化処理ステップ
に対応する。
【０１８９】
また、上記実施の形態において、ステップＳ３０２は、形態２３、３７、６３及び７７
のいずれか１の濃度変更情報選択ステップに対応する。
また、上記実施の形態において、ステップＳ２０２又はＳ２１８は、形態２５、３９、
６５及び７９のいずれか１の第１判定ステップに対応し、ステップＳ２０４は、形態２５
、２６、３９、４０、６５、６６、７９及び８０のいずれか１の第２判定ステップに対応
する。
また、上記実施の形態において、ステップＳ１１０，Ｓ１１２は、形態１４、２８、５
４及び６８のいずれか１の印刷用データ生成ステップに対応し、ステップＳ１１４は、形
態１４又は２８の印刷ステップに対応する。
【０１９０】
なお、上記実施の形態における印刷装置１００の特徴は、既存の印刷装置そのものには
殆ど手を加えることなく文書データの特性に合わせて、着色材料の使用量を節約できると
共に、強調目的で色づけされた文字を読みやすく印刷できる印刷用データを生成するよう
にしたため、印刷部２２として特に専用のものを用意する必要はなく、既存のプリンタを
そのまま利用することができる。また、上記実施の形態における印刷装置１００から印刷
部２２を分離すれば、その機能はＰＣなどの汎用の印刷指示端末又はプリンタサーバ（こ
れらは印刷用データ生成装置に対応する）等において実現することも可能となる。
【０１９１】
また、上記実施の形態においては、本発明を用いてカラー文書データをモノクロ印刷す
る例を説明したが、これに限らず、本発明をカラー文書データをカラー印刷する構成に適
用しても良い。この場合においても、使用頻度の最も高い文字を薄く印刷して着色材料の
使用量を節約できると共に、強調目的で色づけされた文字を読みやすく印刷することがで
きる。また、カラー文書をカラー印刷する際に、当該カラー文書における色づけされた文
字の濃度によっては（読みやすい濃度であれば）、強調化処理で濃度を濃くせずにそのま
ま印刷するようにしても良い。
【０１９２】
また、上記実施の形態においては、強調化処理モード１〜４及び図７（ａ）〜（ｈ）に
示す濃度変更情報を例として、濃度情報変更処理及び強調化処理について説明したが、こ
れに限らず、他の強調化処理内容のモードを設定したり、他の濃度変更情報を設定したり
しても良い。
【図面の簡単な説明】
【０１９３】
【図１】本発明に係る印刷装置１００の構成を示すブロック図である。
【図２】文書データ加工部１４の詳細構成を示すブロック図である。
【図３】コンピュータシステムのハードウェア構成を示す図である。
【図４】印刷装置１００における印刷処理を示すフローチャートである。
【図５】データ解析部１２の印刷対象データ解析処理を示すフローチャートである。
【図６】文書データ加工部１４における文書データ加工処理を示すフローチャートである。
【図７】（ａ）〜（ｈ）は、濃度変更情報の一例を示す図である。
【図８】ステップＳ３０４の、強調化処理モード１に対応する濃度変更処理及び強調化処理を示すフローチャートである。
【図９】（ａ）は、オリジナルのカラー印刷画像の一例を示す図であり、（ｂ）は、（ａ）を、従来のモノクロ印刷画像を示す図であり、（ｃ）は、（ａ）を、図７（ａ）の濃度変更情報に基づき、図８に示す本発明の処理方法を用いてモノクロ印刷した場合の印刷画像の一例を示す図であり、（ｄ）は、オリジナルのカラー印刷画像の（ａ）とは別の一例を示す図であり、（ｅ）は、（ｄ）を、図７（ｃ）の濃度変更情報に基づき、図８に示す本発明の処理方法を用いてモノクロ印刷した場合の印刷画像の一例を示す図である。
【図１０】ステップＳ３０４の、強調化処理モード２に対応する濃度変更処理及び強調化処理を示すフローチャートである。
【図１１】（ａ）は、オリジナルのカラー印刷画像の一例を示す図であり、（ｂ）は、図１０に示す本発明の処理方法を用いてモノクロ印刷した場合の印刷画像の一例を示す図である。
【図１２】ステップＳ３０４の、強調化処理モード３に対応する濃度変更処理及び強調化処理を示すフローチャートである。
【図１３】（ａ）は、文書データ加工処理前のオリジナルのカラー印刷画像を示す図であり、（ｂ）は、図１２に示す本発明の処理方法を用いてモノクロ印刷した場合の印刷画像の一例を示す図である。
【図１４】画像中に文字画像があるオリジナルのカラー印刷画像の一例を示す図である。
【符号の説明】
【０１９４】
１００…印刷装置、１０…データ取得部、１２…データ解析部、１４…文書データ加工部
、１６…濃度変更情報記憶部、１８…濃度変更内容指定部、２０…印刷用データ生成部、
２２…印刷部、１４ａ…濃度変更情報選択部、１４ｂ…濃度情報変更部、１４ｃ…強調化
処理部、６０…ＣＰＵ、６２…ＲＡＭ、６４…ＲＯＭ、６６…インターフェース、７０…
記憶装置、７２…出力装置、７４…入力装置
【図１】
2007301857.tif 000003
【図２】
2007301857.tif 000004
【図３】
2007301857.tif 000005
【図４】
2007301857.tif 000006
【図５】
2007301857.tif 000007
【図６】
2007301857.tif 000008
【図７】
2007301857.tif 000009
【図８】
2007301857.tif 000010
【図９】
2007301857.tif 000011
【図１０】
2007301857.tif 000012
【図１１】
2007301857.tif 000013
【図１２】
2007301857.tif 000014
【図１３】
2007301857.tif 000015
【図１４】
2007301857.tif 000016